(57)【要約】【課題】ネットワーク未接続の対象機器であっても、当該対象機器と、当該対象機器に対して接続可能な接続可能機器とが接続可能であることを表示可能とする。【解決手段】端末（１０）は、対象機器の特定情報を取得する特定情報取得手段（１２０）と、上記特定情報を送信する特定情報送信手段（１２４）と、接続可能機器情報を受信する接続可能機器情報受信手段（１２６）と、上記接続可能機器情報が含む接続可能機器と上記対象機器とが接続可能であることを示す画像を生成する画像生成手段（１６）と、を備えている。【選択図】図１
2015115004.tif 000002
【特許請求の範囲】
【請求項１】
対象機器を特定するための特定情報を取得する特定情報取得手段と、
上記特定情報を送信する特定情報送信手段と、
上記対象機器に接続可能な１または複数の接続可能機器を示す接続可能機器情報を受信する接続可能機器情報受信手段と、
上記接続可能機器情報が含む１または複数の接続可能機器と、上記対象機器とが接続可能であることを示す画像を生成する画像生成手段と、
上記画像を表示部に表示させる画像表示指示手段と、を備えていることを特徴とする端末。
【請求項２】
上記画像生成手段は、上記対象機器を表すシンボルと、上記接続可能機器を表すシンボルとを含む画像を生成することを特徴とする請求項１に記載の端末。
【請求項３】
上記画像生成手段は、上記対象機器を表すシンボルと、上記接続可能機器を表すシンボルとを結ぶ線をさらに含む画像を生成することを特徴とする請求項２に記載の端末。
【請求項４】
上記画像生成手段は、上記特定情報の一部または全部をさらに含む画像を生成することを特徴とする請求項２または３に記載の端末。
【請求項５】
上記対象機器の詳細情報である対象機器詳細情報を取得する対象機器詳細情報取得手段をさらに備え、
上記画像表示指示手段が上記表示部に表示させる画像において、上記対象機器を表すシンボルが選択された場合、上記画像表示指示手段は、上記対象機器詳細情報取得手段から上記対象機器詳細情報を取得し上記表示部に表示させることを特徴とする請求項２から４のいずれか１項に記載の端末。
【請求項６】
上記対象機器の接続可能機器情報を参照し、上記対象機器と、上記接続可能機器とを接続可能な接続方式の名称を取得する接続方式名称取得手段をさらに備え、
上記画像表示指示手段が上記表示部に表示させる画像において、上記対象機器を表すシンボル、および、上記接続可能機器を表すシンボルが選択された場合、
上記接続方式名称取得手段は、上記接続方式の名称を上記画像表示指示手段に供給し、
上記画像表示指示手段は、上記対象機器、上記接続可能機器および上記接続方式の名称を関連付けて上記表示部に表示させることを特徴とする請求項２から５のいずれか１項に記載の端末。
【請求項７】
上記対象機器と、上記接続可能機器とを接続した場合に実現され得る連携機能を示す連携機能情報を取得する連携機能情報取得手段をさらに備え、
上記画像表示指示手段が関連付けて表示させている画面において、上記接続方式の名称が選択された場合、
上記連携機能情報取得手段は、上記連携機能情報を上記画像表示指示手段に供給し、
上記画像表示指示手段は、上記対象機器、上記接続可能機器および上記連携機能情報を関連付けて上記表示部に表示させることを特徴とする請求項６に記載の端末。
【請求項８】
上記画像表示指示手段が示す画像において、上記接続可能機器を表すシンボルが選択された場合、
上記画像表示指示手段は、上記接続可能機器に関連付けられている特定情報の一部または全部を、上記表示部に表示させることを特徴とする請求項２から７のいずれか１項に記載の端末。
【請求項９】
上記画像表示指示手段が上記表示部に表示させる画像は、上記特定情報が含む上記特定情報の一部または全部と、上記接続可能機器情報の一部または全部とを、リスト形式またはテーブル形式で表すことによって、上記対象機器と上記接続可能機器とが接続可能であることを示すことを特徴とする請求項１に記載の端末。
【請求項１０】
上記特定情報は、少なくとも上記対象機器の型番を含むことを特徴とする請求項１から９のいずれか１項に記載の端末。
【請求項１１】
上記特定情報は、上記対象機器のメーカの名称をさらに含むことを特徴とする請求項１０に記載の端末。
【請求項１２】
上記特定情報は、上記対象機器が属するカテゴリをさらに含むことを特徴とする請求項１０または１１に記載の端末。
【請求項１３】
上記特定情報取得手段は、近距離通信タグまたは二次元バーコードから上記特定情報を取得することを特徴とする請求項１から１２のいずれか１項に記載の端末。
【請求項１４】
対象機器を特定するための特定情報を取得する特定情報取得手段と、
上記特定情報を送信する特定情報送信手段と、
上記対象機器に接続可能な１または複数の接続可能機器と、上記対象機器とが接続可能であることを示す画像を示す画像情報を受信する画像情報受信手段と、
上記画像情報が示す画像を、表示部に表示させる画像表示指示手段と、を備えていることを特徴とする端末。
【請求項１５】
対象機器を特定するための特定情報を受信する特定情報受信手段と、
上記対象機器に接続可能な１または複数の接続可能機器を選択する接続可能機器選択手段と、
上記接続可能機器選択手段によって選択された１または複数の接続可能機器と、上記対象機器とが接続可能であることを示す画像を示す画像情報を生成する画像情報生成手段と、
上記画像情報を送信する画像情報送信手段と、を備えていることを特徴とするサーバ。
【請求項１６】
端末とサーバとを備えているシステムであって、
上記端末は、
対象機器を特定するための特定情報を取得する特定情報取得手段と、
上記特定情報を、上記サーバに送信する特定情報送信手段と、
上記対象機器に接続可能な１または複数の接続可能機器を示す接続可能機器情報を、上記サーバから受信する接続可能機器情報受信手段と、
上記接続可能機器情報が含む１または複数の接続可能機器と、上記対象機器とが接続可能であることを示す画像を生成する画像生成手段と、
上記画像を表示部に表示させる画像表示指示手段と、を備え、
上記サーバは、
上記端末が送信する上記特定情報を受信する特定情報受信手段と、
上記対象機器に接続可能な１または複数の接続可能機器を選択する接続可能機器選択手段と、
上記接続可能機器選択手段が選択する上記１または複数の接続可能機器を示す接続可能機器情報を生成する機器情報生成手段と、
上記接続可能機器情報を、上記端末に送信する接続可能機器情報送信手段と、を備えていることを特徴とするシステム。
【請求項１７】
端末とサーバとを備えているシステムであって、
上記端末は、
対象機器を特定するための特定情報を取得する特定情報取得手段と、
上記特定情報を送信する特定情報送信手段と、
上記対象機器に接続可能な１または複数の接続可能機器と、上記対象機器とが接続可能であることを示す画像を示す画像情報を受信する画像情報受信手段と、
上記画像情報が示す画像を、表示部に表示させる画像表示指示手段と、を備え、
上記サーバは、
対象機器をするための特定情報を受信する特定情報受信手段と、
上記対象機器に接続可能な１または複数の接続可能機器を選択する接続可能機器選択手段と、
上記接続可能機器選択手段によって選択された１または複数の接続可能機器と、上記対象機器とが接続可能であることを示す画像を示す画像情報を生成する画像情報生成手段と、
上記画像情報を送信する画像情報送信手段と、を備えていることを特徴とするシステム。
【請求項１８】
対象機器を特定するための特定情報を取得する特定情報取得工程と、
上記対象機器に接続可能な１または複数の接続可能機器を選択する接続可能機器選択工程と、
上記接続可能機器選択工程によって選択された１または複数の接続可能機器と、上記対象機器とが接続可能であることを示す画像を示す画像情報を生成する画像情報生成工程と、
上記画像情報が示す画像を、表示部に表示させる画像表示指示工程と、を含んでいることを特徴とする方法。
【請求項１９】
請求項１から１３のいずれか１項に記載の端末としてコンピュータを機能させるためのプログラムであって、コンピュータを上記各手段として機能させるためのプログラム。
【請求項２０】
請求項１４に記載の端末としてコンピュータを機能させるためのプログラムであって、コンピュータを上記各手段として機能させるためのプログラム。
【発明の詳細な説明】
【技術分野】
【０００１】
本発明は、機器連係情報を提供する端末、サーバ、システム、方法およびプログラムに関する。
【背景技術】
【０００２】
様々な機器を、相互にネットワーク接続したうえで、これらの機器の機能を連携させることにより実現される機器連携サービスが提案されている。たとえば、ＤＬＮＡ（Ｄｉｇｉｔａｌ  Ｌｉｖｉｎｇ  Ｎｅｔｗｏｒｋ  Ａｌｌｉａｎｃｅ）によって定められた規格に準拠した録画機、ＴＶおよび携帯端末をネットワーク接続することによって、録画機に保存された動画コンテンツを携帯端末から選択し、当該選択された動画コンテンツを、ＴＶで再生することができる。
【０００３】
このような機器連携サービスを、ユーザに分かりやすく提示し、ユーザが、機器連携サービスを簡単に利用可能な、新しいＧＵＩを描画するＧＵＩ描画部を備えている情報端末が、特許文献１に記載されている。
【先行技術文献】
【特許文献】
【０００４】
【特許文献１】国際公開  ＷＯ２０１３／０１４８７１号（２０１３年１月３１日公開）
【発明の概要】
【発明が解決しようとする課題】
【０００５】
しかしながら、特許文献１に記載の技術において、機器連携サービスを利用可能な機器として描画可能な機器は、ネットワーク接続されている機器に限定されている。
【０００６】
したがって、対象機器がネットワークに接続されていない場合、特許文献１に記載の技術を用いたとしても、当該対象機器に接続可能な他の機器（以下、接続可能機器とも表現する）に関する情報を得ることはできない。
【０００７】
本発明は、上記課題を鑑みてなされたものであり、その目的は、ネットワークに接続されていない対象機器であっても、当該対象機器に対して接続可能な接続可能機器をユーザに提示することのできる端末、サーバ、システム、方法およびプログラムを提供することである。
【課題を解決するための手段】
【０００８】
上記の課題を解決するために、本発明の一態様に係る端末は、対象機器を特定するための特定情報を取得する特定情報取得手段と、上記特定情報を送信する特定情報送信手段と、上記対象機器に接続可能な１または複数の接続可能機器を示す接続可能機器情報を受信する接続可能機器情報受信手段と、上記接続可能機器情報が含む１または複数の接続可能機器と、上記対象機器とが接続可能であることを示す画像を生成する画像生成手段と、上記画像を表示部に表示させる画像表示指示手段と、を備えている。
【０００９】
上記の課題を解決するために、本発明の一態様に係る端末は、対象機器を特定するための特定情報を取得する特定情報取得手段と、上記特定情報を送信する特定情報送信手段と、上記対象機器に接続可能な１または複数の接続可能機器と、上記対象機器とが接続可能であることを示す画像を示す画像情報を受信する画像情報受信手段と、上記画像情報が示す画像を、表示部に表示させる画像表示指示手段と、を備えている。
【００１０】
上記の課題を解決するために、本発明の一態様に係るサーバは、対象機器を特定するための特定情報を受信する特定情報受信手段と、上記対象機器に接続可能な１または複数の接続可能機器を選択する接続可能機器選択手段と、上記接続可能機器選択手段によって選択された１または複数の接続可能機器と、上記対象機器とが接続可能であることを示す画像を示す画像情報を生成する画像情報生成手段と、上記画像情報を送信する画像情報送信手段と、を備えている。
【００１１】
上記の課題を解決するために、本発明の一態様に係るシステムは、端末とサーバとを備えているシステムであって、
上記端末は、対象機器を特定するための特定情報を取得する特定情報取得手段と、上記特定情報を、上記サーバに送信する特定情報送信手段と、上記対象機器に接続可能な１または複数の接続可能機器を示す接続可能機器情報を、上記サーバから受信する接続可能機器情報受信手段と、上記接続可能機器情報が含む１または複数の接続可能機器と、上記対象機器とが接続可能であることを示す画像を生成する画像生成手段と、上記画像を表示部に表示させる画像表示指示手段と、を備え、
上記サーバは、上記端末が送信する上記特定情報を受信する特定情報受信手段と、上記対象機器に接続可能な１または複数の接続可能機器を選択する接続可能機器選択手段と、上記接続可能機器選択手段が選択する上記１または複数の接続可能機器を示す接続可能機器情報を生成する機器情報生成手段と、上記接続可能機器情報を、上記端末に送信する接続可能機器情報送信手段と、を備えている。
【００１２】
上記の課題を解決するために、本発明の一態様に係るシステムは、端末とサーバとを備えているシステムであって、
上記端末は、対象機器を特定するための特定情報を取得する特定情報取得手段と、上記特定情報を送信する特定情報送信手段と、上記対象機器に接続可能な１または複数の接続可能機器と、上記対象機器とが接続可能であることを示す画像を示す画像情報を受信する画像情報受信手段と、上記画像情報が示す画像を、表示部に表示させる画像表示指示手段と、を備え、
上記サーバは、対象機器をするための特定情報を受信する特定情報受信手段と、上記対象機器に接続可能な１または複数の接続可能機器を選択する接続可能機器選択手段と、上記接続可能機器選択手段によって選択された１または複数の接続可能機器と、上記対象機器とが接続可能であることを示す画像を示す画像情報を生成する画像情報生成手段と、上記画像情報を送信する画像情報送信手段と、を備えている。
【００１３】
上記の課題を解決するために、本発明の一態様に係る方法は、対象機器を特定するための特定情報を取得する特定情報取得工程と、上記対象機器に接続可能な１または複数の接続可能機器を選択する接続可能機器選択工程と、上記接続可能機器選択工程によって選択された１または複数の接続可能機器と、上記対象機器とが接続可能であることを示す画像を示す画像情報を生成する画像情報生成工程と、上記画像情報が示す画像を、表示部に表示させる画像表示指示工程と、を含んでいる。
【発明の効果】
【００１４】
本発明の一態様によれば、ネットワークに接続されていない対象機器であっても、当該対象機器と、当該対象機器に対して接続可能な接続可能機器とが接続可能であることを表示可能な端末、サーバ、システム、方法およびプログラムを提供する。
【図面の簡単な説明】
【００１５】
【図１】本発明の実施形態１に係る携帯端末およびサーバの構成の概略を示す機能ブロック図である。
【図２】（ａ）は本発明の実施形態１に係る機器連係情報提供システムの概略図であり、（ｂ）は本発明の実施形態１に係る携帯端末に表示される相互接続マップを示す図である。
【図３】本発明の実施形態１に係る携帯端末およびサーバのハードウェア構成の概略を示すブロック図である。
【図４】本発明の実施形態１に係る機器連係情報データベースの一例を示す図である。
【図５】本発明の実施形態１に係る機器連係情報提供システムにおける処理の流れを示すシークエンス図である。
【図６】本発明の実施形態１に係る携帯端末に表示される画面の遷移例を示す図である。
【図７】本発明の実施形態１に係る携帯端末に表示される画面の遷移例を示す図である。
【図８】本発明の実施形態１に係る携帯端末に表示される画面の遷移例を示す図である。
【図９】本発明の実施形態１に係る携帯端末に表示される画面の遷移例を示す図である。
【図１０】本発明の実施形態１に係る携帯端末に表示される画面の遷移例を示す図である。
【図１１】本発明の実施形態１に係る携帯端末に表示される画面の遷移例を示す図である。
【図１２】本発明の実施形態１に係る携帯端末に表示される画面の遷移例を示す図である。
【図１３】本発明の実施形態１に係る携帯端末に表示される画面の遷移例を示す図である。
【図１４】本発明の実施形態１に係る携帯端末に表示される画面の遷移例を示す図である。
【図１５】本発明の実施形態２に係る機器連係情報データベースの一例を示す図である。
【図１６】本発明の実施形態３に係る携帯端末およびサーバの構成の概略を示す機能ブロック図である。
【図１７】本発明の実施形態３に係る機器連係情報提供システムにおける処理の流れを示すシークエンス図である。
【図１８】本発明の実施形態４に係る機器連係情報提供システムにおける処理の流れを示すシークエンス図である。
【図１９】本発明の一態様に係る携帯端末に表示される画面の遷移例を示す図である。
【図２０】本発明の実施形態５に係る機器連係情報提供システムにおける処理の流れを示すシークエンス図である。
【発明を実施するための形態】
【００１６】
〔実施形態１〕
本実施形態に係る端末、サーバおよびシステムについて、図１から図１４を参照して以下に説明する。ただし、本実施形態に記載されている構成は、特に特定的な記載でない限り、この発明の範囲をそれのみに限定する趣旨ではなく、単なる説明例に過ぎない。
【００１７】
本実施形態に係るシステムは、家電機器に代表される機器に接続可能な別の機器の情報を提供するものである。本実施形態における接続可能との表現は、ＤＬＮＡ（登録商標）、Ｍｉｒａｃａｓｔ（登録商標）、ＨＤＭＩ（登録商標）、Ｂｌｕｅｔｏｏｔｈ（登録商標）といった規格に準拠している機器同士を、その規格に準拠している接続方法によって接続することを意味する。ＩＥＥＥ  ８０２．１１によって規定される無線ＬＡＮ（Ｌｏｃａｌ  Ａｒｅａ  Ｎｅｔｗｏｒｋ）も、本実施形態における接続方法に含まれる。したがって、たとえばオーディオアンプとスピーカとを、配線を用いて接続する態様は、本実施形態における接続に含まれない。
【００１８】
上述のような接続方法によって接続された複数の機器は、互いに連携することに実現される機能またはサービスをユーザに提供する。以下において、上記互いに連携することに実現される機能またはサービスのことを、連携機能と総称する。本実施形態に係るシステムは、ユーザが所有している機器であったり、関心を抱いている機器（これらを対象機器とも呼称する）に接続することによって連携可能な接続可能機器に関する情報を提供するものである。したがって、当該システムのことを、以下において機器連係情報提供システムと表現する。
【００１９】
（機器連係情報提供システム１の概要）
図１は、本実施形態に係る機器連係情報提供システム１が備えている携帯端末１０（端末）およびサーバ２０の構成の概略を示す機能ブロック図である。図２は、機器連係情報提供システム１の概略を示す図である。図２（ａ）は、機器連係情報提供システム１の構成の概略図であり、図２（ｂ）は、携帯端末１０に表示される相互接続マップの一例を示す図である。相互接続マップについては、後述する。図３は、携帯端末１０およびサーバ２０のハードウェア構成の概略を示すブロック図である。
【００２０】
本実施形態において、ユーザＡは、テレビ３０に接続することによって利便性が向上させる機器、あるいは、新たなサービスを提供可能な機器に関する情報を得たいと考えている。テレビ３０は、新たな機器接続する対象となる機器である。したがって、以下において、テレビ３０のことを対象機器とも表現する。
【００２１】
本実施形態において、図２（ａ）に示すように、テレビ３０にはＮＦＣ（Ｎｅａｒ  Ｆｉｅｌｄ  Ｃｏｍｍｕｎｉｃａｔｉｏｎ）タグ３１が貼り付けられているものとして説明する。ＮＦＣタグは、近距離通信タグの一類型であり、近距離通信を実現するためのＩＣチップを備えている。図２（ａ）に示すＮＦＣタグ３１をテレビ３０に貼り付けた構成は、テレビ３０と携帯端末１０との近距離通信を実現する構成の一例である。たとえば、テレビ３０は、近距離通信を実現するためのＩＣチップを、あらかじめ内蔵するように構成されていてもよい。
【００２２】
ＮＦＣタグ３１には、テレビ３０を特定する特定情報が書き込まれている。本実施形態において、特定情報は、少なくともテレビ３０の型番を示す情報を含んでいる。特定情報は、さらに、テレビ３０のメーカの名称、および、その機器が属するカテゴリを示す情報を含んでいることが好ましい。以下において、メーカの名称のことを単にメーカとも記載する。市場に出回っているさまざまな機器の中には、異なる機器であるが同一の型番が付されている場合がある。このような場合、型番だけではテレビ３０を正しく特定できない可能性がある。しかし、特定情報がテレビ３０のメーカおよびカテゴリを示す情報を含んでいることによって、同一の型番を付されている別個の機器を、テレビ３０と区別することができる。したがって、機器を特定する場合の精度を向上させることができる。
【００２３】
なお、テレビ３０の型番の代わりに、テレビ３０の製造番号またはシリアル番号を示す情報を、特定情報として用いてもよい。
【００２４】
ユーザＡが携帯端末１０をＮＦＣタグ３１にかざすと、携帯端末１０は、ＮＦＣタグ３１に書き込まれているデータ（以下において、ＮＦＣデータと表現する）からテレビ３０の特定情報を取得する。
【００２５】
携帯端末１０は、ネットワーク５０を介して、テレビ３０の特定情報をサーバ２０へ送信する。サーバ２０は、テレビ３０に接続可能な接続可能機器を選択し、接続可能機器を示す接続可能機器情報を、携帯端末１０に送信する。
【００２６】
携帯端末１０は、サーバ２０から接続可能機器情報を受信する。ここでは、接続可能機器情報は、接続可能機器としてスマートフォン１０機種と、レコーダ３機種との情報を含んでいるものとして説明する。なお、レコーダは、ＨＤＤレコーダおよびＢｌｕｒａｙＤｉｓｋレコーダおよびＤＶＤレコーダの総称である。
【００２７】
携帯端末１０は、接続可能機器情報が含む接続可能機器と、テレビ３０とが接続可能であることを示す画像を、携帯端末１０の表示部１７に表示する。言い換えれば、携帯端末１０は、テレビ３０およびスマートフォン１０機種、ならびに、テレビ３０およびレコーダ３機種がそれぞれ接続可能であることを示す画像を表示部１７に表示する。以下において、当該画像のことを相互接続マップとも記載する。
【００２８】
図２（ｂ）は、相互接続マップの一例を示す図である。相互接続マップの中央付近には、対象機器であるテレビ３０を示すシンボルが表示されている。なお、テレビ３０のシンボルの近傍には、テレビ３０の型番「ＭＸ１」が表示されていてもよい。
【００２９】
テレビ３０のシンボルの周辺には、接続可能機器であるスマートフォンおよびレコーダを示すシンボルが表示されている。テレビ３０のシンボルと、スマートフォンのシンボルとの間には、接続可能であることを意味する破線が描かれている。テレビ３０のシンボルと、レコーダとの間にも、同様に破線が描かれている。「スマートフォン」に付記されている「１０」は、テレビ３０に接続可能なスマートフォンが１０機種あることを示す。「レコーダ」に付記されている「３」も同様である。
【００３０】
なお、対象機器および接続可能機器を表すシンボルは、アイコンとも表現し得る。
【００３１】
上記の構成によれば、携帯端末１０は、ネットワークに接続されていない対象機器であっても、当該対象機器と、当該対象機器に対して接続可能な接続可能機器とが接続可能であることを示す画像を表示することができる。言い換えれば、当該画像を表示することによって、上記対象機器と、上記接続可能機器とが接続可能であることをユーザに提示することができる。
【００３２】
図３に示すように、携帯端末１０およびサーバ２０は、無線通信ネットワーク５１を含むネットワーク５０を介して通信可能に接続されている。ここで、無線通信ネットワーク５１は、無線通信によって携帯端末１０と接続可能なものであればよい。具体的には、無線通信ネットワークは、３Ｇネットワーク、４Ｇネットワークなどの移動通信用のネットワークでもよいし、Ｗｉ−Ｆｉなどの無線ＬＡＮであってもよい。
【００３３】
（携帯端末１０のハードウェア構成）
図３に示すように、携帯端末１０は、無線通信部１１、制御部１２、記憶部１３、ＮＦＣ（Ｎｅａｒ  Ｆｉｅｌｄ  Ｃｏｍｍｕｎｉｃａｔｉｏｎ）インターフェース部１４、画像生成部１６、表示部１７および操作部１８を備えている。なお、以下においてＮＦＣインターフェース部のことを、ＮＦＣ−Ｉ／Ｆ部とも表記する。携帯端末１０は、カメラ部１５をさらに備えていてもよい。
【００３４】
無線通信部１１は、ネットワーク５０を介して、携帯端末１０と、サーバ２０とを通信可能に接続するためのインターフェースである。
【００３５】
制御部１２として利用可能なデバイスとしては、ＣＰＵ（Central Processing Unit）を挙げることができる。また、記憶部１３は、主記憶部および補助記憶部を備えている。記憶部１３の主記憶部として利用可能なデバイスとしては、例えば、半導体ＲＡＭ（random access memory）を挙げることができる。また、記憶部１３の補助記憶部として利用可能なデバイスとしては、例えば、ハードディスクドライブ（ＨＤＤ）を挙げることができる。
【００３６】
記憶部１３の補助記憶部には、機器連係情報を提供する端末として携帯端末１０を動作させるためのプログラムが格納されている。以下において、当該プログラムのことを、機器連係情報提供アプリケーションと呼び、略して機器連係情報提供アプリとも表現する。機器連係情報提供アプリは、特定情報取得モジュール、特定情報管理モジュール、特定情報送信モジュール、接続可能機器情報受信モジュール、接続可能機器情報管理モジュールおよび画像表示指示モジュールを含んでいる。
【００３７】
制御部１２は、記憶部１３の主記憶部上に機器連係情報提供アプリを展開し、展開された機器連係情報提供アプリに含まれる各種の命令を実行することによって、携帯端末１０を、機器連係情報を提供するための端末として機能させる。より具体的には、制御部１２は、機器連係情報提供アプリに含まれる各種の命令を実行することによって、携帯端末１０を、特定情報取得部１２０、特定情報管理部１２２、特定情報送信部１２４、接続可能機器情報受信部１２６、接続可能機器情報管理部１２８および画像表示指示部１３０のそれぞれとして機能させる（図１参照）。携帯端末１０が備えている上述の各機能ブロックについては後述する。
【００３８】
ＮＦＣ−Ｉ／Ｆ部１４は、ＮＦＣタグに近接した場合に、ＮＦＣタグが備えているＩＣチップと近距離通信を行うことによって、ＮＦＣタグに書き込まれている情報を読み出すものである。以下において、ＮＦＣタグに書き込まれている情報のことを、ＮＦＣデータとも表現する。ユーザが携帯端末１０をＮＦＣタグに近づけることによって、ＮＦＣ−Ｉ／Ｆ部１４とＮＦＣタグとは近接し、通信が可能な状態となる。本実施形態において、ＮＦＣ−Ｉ／Ｆ部１４とＮＦＣタグとが通信可能な状態となるように、携帯端末１０をＮＦＣタグに近づける行為のことを、携帯端末１０をＮＦＣタグにかざすと表現する。したがって、携帯端末１０がＮＦＣタグにかざされることによって、ＮＦＣ−Ｉ／Ｆ部１４は、ＮＦＣデータを読み出すことができる。ＮＦＣ−Ｉ／Ｆ部１４は、ＮＦＣデータを制御部１２へ供給する。
【００３９】
なお、本実施形態において、ＮＦＣ−Ｉ／Ｆ部１４は、ＮＦＣタグに近接することによってＮＦＣデータを読み出すものとして説明している。しかし、ＮＦＣ−Ｉ／Ｆ部１４は、対象機器が内蔵している近距離通信を実現するためのＩＣチップに近接することによってＮＦＣデータを読み出してもよい。
【００４０】
カメラ部１５は、撮影した場合に撮影した画像を示す画像情報を生成するものである。カメラ部１５を用いる実施の形態については、本実施形態の変形例として後述する。
【００４１】
画像生成部１６は、制御部１２が備えている画像表示指示部１３０からの指示を受けて、表示部１７に表示させる画像を生成する画像生成手段である。画像生成部１６は、生成した画像を、画像表示指示部１３０からの指示にしたがって表示部１７に表示させる。
【００４２】
操作部１８は、携帯端末１０に対するユーザ操作を受け付けるためのユーザインターフェースである。本実施形態において、携帯端末１０は、操作部１８としてタッチパネルを備えているものとして説明する。しかし、操作部１８を実現する構成はタッチパネルに限定されるものではない。携帯端末１０は、キーボード、マウス、音声入力などに代表される既存のユーザインターフェースを、操作部１８として備えていてもよい。
【００４３】
（携帯端末１０が備えている機能ブロック）
図１に示すように、携帯端末１０は、特定情報取得部１２０、特定情報管理部１２２、特定情報送信部１２４、接続可能機器情報受信部１２６、接続可能機器情報管理部１２８および画像表示指示部１３０を備えている。
【００４４】
（特定情報取得部１２０）
特定情報取得部１２０は、ＮＦＣ−Ｉ／Ｆ部１４から供給されるＮＦＣデータをデコードし、テレビ３０を特定するための特定情報を取得する。本実施形態において、特定情報は、少なくともテレビ３０の型番を示す情報を含んでいる。特定情報は、さらに、テレビ３０のメーカ、および、その機器が属するカテゴリを示す情報を含んでいることが好ましい。市場に出回っている多様な機器の中には、異なる機器であるが同一の型番が付されている場合がある。このような場合においても、特定情報がテレビ３０のメーカおよびカテゴリを示す情報を含んでいることによって、同一の型番を付されている別個の機器を区別することができる。したがって、機器を特定する場合の精度を向上させることができる。
【００４５】
なお、テレビ３０の型番の代わりに、テレビ３０の製造番号またはシリアル番号を示す情報を、特定情報として用いてもよい。
【００４６】
本実施形態において、ＮＦＣ−Ｉ／Ｆ部１４および特定情報取得部１２０は、特定情報取得手段に相当する。特定情報取得部１２０は、取得した特定情報を、特定情報管理部１２２へ供給する。
【００４７】
（特定情報管理部１２２）
特定情報管理部１２２は、特定情報取得部１２０が取得した特定情報を管理するものである。この場合に、特定情報管理部１２２は、特定情報取得部１２０から供給される特定情報を、記憶部１３の補助記憶部に記憶させるように構成されていてもよい。また、特定情報管理部１２２は、テレビ３０の特定情報を、特定情報送信部１２４へ供給する。
【００４８】
（特定情報送信部１２４）
特定情報送信部１２４は、無線通信部１１を介して、テレビ３０の特定情報をサーバ２０へ送信する特定情報送信手段である。
【００４９】
（接続可能機器情報受信部１２６）
接続可能機器情報受信部１２６は、サーバ２０から送信されるテレビ３０の接続可能機器情報を、無線通信部１１を介して受信する接続可能機器情報受信手段である。接続可能機器情報受信部１２６は、受信した接続可能機器情報を、接続可能機器情報管理部１２８へ供給する。
【００５０】
（接続可能機器情報管理部１２８）
接続可能機器情報管理部１２８は、接続可能機器情報を管理するものである。具体的には、テレビ３０の接続可能機器情報を供給された場合、テレビ３０の接続可能機器情報を記憶部１３の補助記憶部に記憶させ、テレビ３０の特定情報と関連付けて管理する。
【００５１】
なお、接続可能機器情報管理部１２８は、接続可能機器情報に、テレビ３０の詳細情報（対象機器詳細情報）が含まれている場合に、接続可能機器情報から、当該対象機器詳細情報を取得する対象機器詳細情報取得手段として機能してもよい。
【００５２】
また、接続可能機器情報管理部１２８は、接続可能機器情報に、テレビ３０と接続可能機器とを接続可能な接続方式の名称が含まれている場合に、接続可能機器情報から当該接続方式の名称を取得する接続方式名称取得手段として機能してもよい。
【００５３】
また、接続可能機器情報管理部１２８は、テレビ３０と、接続可能機器とを接続可能な方式によって接続した場合に実現され得る連携機能を示す連携機能情報が、接続可能機器情報に含まれている場合に、接続可能機器情報から当該連携機能情報を取得する連携機能情報取得手段として機能してもよい。
【００５４】
詳細情報、連携機能情報については図９〜１２を参照しながら後述する。
【００５５】
（画像表示指示部１３０）
画像表示指示部１３０は、テレビ３０の接続可能機器情報が含む接続可能機器と、テレビ３０とが接続可能であることを示す画像を生成するように、画像生成部１６に対して指示する。以下において、上記画像のことを相互接続マップとも表現する。なお、相互接続マップの生成を画像生成部１６に対して指示する場合に、画像表示指示部１３０は、接続可能機器情報が含む全ての接続可能機器が相互接続マップに表されるように指示してもよい。この構成によれば、相互接続マップには、豊富な接続可能機器が表される。したがって、携帯端末１０は、豊富な接続可能機器をユーザに対して提示することができる。
【００５６】
また、画像表示指示部１３０は、接続可能機器情報が含む接続可能機器の中から一部の接続可能機器を選択し、当該選択した接続可能機器が相互接続マップに表されるように指示してもよい。上記選択した接続可能機器は、１つであってもよいし、複数であってもよい。接続可能機器情報が多数の接続可能機器を含む場合、全ての接続可能機器を相互接続マップに表すと、相互接続マップが煩雑になる可能性がある。その結果として、ユーザが接続可能機器を把握することが容易ではなくなる可能性がある。接続可能機器情報が含む接続可能機器の中から一部の接続可能機器を選択し相互接続マップに表すことによって、相互接続マップが煩雑になることを避け、ユーザの利便性を向上させることができる。
【００５７】
上記一部の接続可能機器の例としては、ユーザ自身が所有する機器として所有者登録を済ましている接続可能機器が挙げられる。所有者登録については後述する。
【００５８】
また、画像表示指示部１３０は、画像生成部１６が生成した相互接続マップを、表示部１７に表示させる。したがって、画像表示指示部１３０は、画像表示指示手段である。
【００５９】
以上のように、携帯端末１０は、たとえばテレビ３０と、テレビ３０の接続可能機器とが接続可能であることを示す相互接続マップを、表示部１７に表示する。したがって、携帯端末１０は、テレビ３０がネットワークに接続されていない状態であっても、テレビ３０と、テレビ３０に対して接続可能な接続可能機器とが接続可能であることを表示可能な端末である。
【００６０】
（相互接続マップのバリエーション）
相互接続マップのバリエーションについて説明する。
【００６１】
多くのユーザ（一般消費者）にとって、接続可能機器の型番のみから、その接続可能機器の概要を把握することは困難である。したがって、対象機器のシンボルと、接続可能機器のシンボルとを用いる相互接続マップのような態様は、多くのユーザにとって、接続可能機器のイメージの把握を容易にする。
【００６２】
一方、様々な携帯端末、家電機器、音響機器などに詳しく専門的な知識を豊富に有する人、たとえば小売店の店員、メーカの相談センターの従業員などは、接続可能機器の型番のみを提示されれば、その型番の接続可能機器を即座に把握し得る。このような専門的な知識を有する人にとっては、対象機器および接続可能機器の型番を、リスト形式またはテーブル形式で表示される方が、１つの画面から得られる情報量が多く好ましい場合もある。このような場合、型番をリスト形式で表示する画像またはテーブル形式で表示する画像が、対象機器と接続可能機器とが接続可能であることを示す画像に相当する。
【００６３】
このように、機器連係情報提供システムを利用するユーザに応じて、携帯端末１０が提示する対象機器と接続可能機器とが接続可能であることを示す画像の態様は変化する。ユーザのニーズに応じて、接続可能機器情報が含む情報のうち、どのような情報を、どのような画像に表すかは、ユーザのニーズなどを考慮して適宜変更可能である。
【００６４】
（サーバ２０のハードウェア構成）
図３に示すように、サーバ２０は、通信部２１、制御部２２および記憶部２３を備えている。通信部２１は、ネットワーク５０を介して、サーバ２０と、携帯端末１０とを通信可能に接続するためのインターフェースである。
【００６５】
制御部２２として利用可能なデバイスとしては、ＣＰＵ（Central Processing Unit）を挙げることができる。また、記憶部２３は、主記憶部および補助記憶部を備えている。記憶部２３の主記憶部として利用可能なデバイスとしては、例えば、半導体ＲＡＭ（random access memory）を挙げることができる。また、記憶部２３の補助記憶部として利用可能なデバイスとしては、例えば、ハードディスクドライブ（ＨＤＤ）を挙げることができる。
【００６６】
記憶部２３の補助記憶部には、機器連係情報を提供するサーバとしてサーバ２０を動作させるためのプログラムが格納されている。このプログラムは、特定情報受信モジュール、接続可能機器選択モジュール、接続可能機器情報生成モジュールおよび接続可能機器情報送信モジュールを含んでいる。
【００６７】
制御部２２は、記憶部２３の主記憶部上に展開されたプログラムに含まれる各種の命令を実行することによって、サーバ２０を、機器連係情報を提供するサーバとして機能させる。より具体的には、制御部２２は、上記プログラムに含まれている各種の命令を実行することによって、サーバ２０を、特定情報受信部２００、接続可能機器選択部２２２、接続可能機器情報生成部２２４および接続可能機器情報送信部２２６のそれぞれとして機能させる（図１参照）。サーバ２０が備えている上述の各機能ブロックについては後述する。
【００６８】
（サーバ２０が備えている機能ブロック）
図１に示すように、サーバ２０は、特定情報受信部２２０、接続可能機器選択部２２２、接続可能機器情報生成部２２４（機器情報生成手段）および接続可能機器情報送信部２２６を備えている。
【００６９】
特定情報受信部２２０は、通信部２１を介して、テレビ３０の特定情報を携帯端末１０から受信する特定情報受信手段である。
【００７０】
（接続可能機器選択部２２２）
接続可能機器選択部２２２は、特定情報によって特定される対象機器、すなわちテレビ３０に接続可能な接続機器を選択する接続可能機器選択手段である。本実施形態において、後述する機器連携情報データベースが、記憶部２３の補助記憶部に格納されている。接続可能機器選択部２２２は、機器連係情報データベースを参照し、テレビ３０に接続可能な１または複数の接続可能機器を選択する。ここで、テレビ３０の接続可能機器を選択することは、機器連係情報データベースにおいてテレビ３０に関連付けられている機器を選択することとも言い換えられる。
【００７１】
（接続可能機器情報生成部２２４）
接続可能機器情報生成部２２４は、接続可能機器選択部２２２が選択したテレビ３０の接続可能機器を示す情報である接続可能機器情報を生成する接続可能機器情報精製手段である。接続可能機器情報生成部２２４は、生成した接続可能機器情報を、接続可能機器情報送信部２２６へ供給する。
【００７２】
テレビ３０の接続可能機器情報は、接続可能機器を特定する情報を少なくとも含んでいる。接続可能機器を特定する情報の例として、接続可能機器の型番が挙げられる。接続可能機器情報生成部２２４は、接続可能機器の型番に加えて、当該接続可能機器のメーカ、カテゴリ、シリーズ名などを接続可能機器情報に含めてもよい。接続可能機器の型番とともにメーカ、カテゴリ、シリーズ名などが接続可能機器情報に含まれることによって、携帯端末１０は、接続可能機器に関するより具体的な情報をユーザに対して提示可能となる。多くのユーザにとって、接続可能機器の型番のみから、その接続可能機器の概要を把握することは困難である。ユーザが接続可能機器の型番からその概要を知るためには、携帯端末１０から提示された接続可能機器の型番を検索サイトで検索するなどの手間が必要となる。接続可能機器情報が接続可能機器の型番に加えてメーカ、カテゴリ、シリーズ名などを含むことによって、ユーザは、より容易に接続可能機器の概要を把握することができる。したがって、ユーザの利便性は向上される。
【００７３】
また、接続可能機器情報生成部２２４は、機器連係情報データベースの内容に応じて、対象機器と、接続可能機器とを接続する場合の相互接続機能名を接続可能機器情報に含めることが好ましく、さらに、互換レベルを接続可能機器情報に含めてもよい。相互接続機能名および互換レベルについては後述する。
【００７４】
また、接続可能機器情報生成部２２４は、対象機器の特徴、機能の一覧を含む詳細情報を、対象機器の接続可能機器情報に含めてもよい。
【００７５】
また、接続可能機器情報生成部２２４は、対象機器と接続可能機器とを、相互接続機能名が示す接続方式を利用して接続した場合に、どのような連携機能を実現可能であるかを示す連携機能情報を、対象機器の接続可能機器情報に含めてもよい。
【００７６】
（接続可能機器情報送信部２２６）
接続可能機器情報送信部２２６は、通信部２１を介して、接続可能機器情報生成部２２４が生成した接続可能機器接続情報を、携帯端末１０へ送信する接続可能機器情報送信手段である。
【００７７】
（機器連係情報データベース）
図４を参照しながら、機器連係情報データベースについて説明する。図４は、機器連係情報データベースの一例を示す図である。機器連係情報データベースは、接続可能機器選択部２２２が、特定情報が特定する対象機器に接続可能な接続可能機器を選択する時に参照するデータベースである。機器連係情報データベースは、サーバ２０の記憶部２３の補助記憶部に格納されている。
【００７８】
機器連携情報データベースを作成する方法および作成者は、とくに限定されない。たとえば、機器連係情報提供システムを提供する事業者、機器を製造するメーカ、接続方式の規格を定める団体などが作成してもよい。
【００７９】
図４に示すように、機器連係情報データベースは、互いに接続可能な２つの機器を関連付ける。たとえば、機器連係情報データベースの１行目は、型番「ＭＸ１」の機器と、型番「ＹＹ−０６Ｚ」の機器とを接続可能な機器同士として関連付けている。以下において、型番「ＭＸ１」の機器のことを、機器「ＭＸ１」とも記載する。また、型番「ＹＹ−０６Ｚ」の機器のことを、機器「ＹＹ−０６Ｚ」とも記載する。
【００８０】
なお、図４に記載の機器連係情報データベースは、説明の例として、機器「ＭＸ１」、機器「ＹＹ−０６Ｚ」、機器「ＸＸ−２３Ｂ」における可能な組み合わせをすべて別個のものとして記載している。そのため、機器連係情報データベースの１行目および４行目のように重複する情報を含んでいる。機器連携情報データベースは、重複する情報を含まないように構成されていることが好ましい。
【００８１】
機器連係情報データベースは、各機器の型番に加えて、各機器のメーカおよびカテゴリを含んでいることが好ましい。機器「ＭＸ１」のメーカおよびカテゴリは、それぞれ「Ａ社」および「テレビ」である。機器「ＹＹ−０６Ｚ」のメーカおよびカテゴリは、「Ａ社」および「スマートフォン」である。
【００８２】
機器連係情報データベースは、各機器の接続を実現するための方式の名称を含んでいることが好ましい。以下において、当該接続を実現するための方式のことを、相互接続機能名と呼ぶ。たとえば、機器「ＭＸ１」と機器「ＹＹ−０６Ｚ」とは、ＤＬＮＡによって接続可能である。相互接続機能名の例としては、ＤＬＮＡ、Ｍｉｒａｃａｓｔ、ＨＤＭＩ、Ｂｌｕｅｔｏｏｔｈ、ＬＡＮが挙げられる。
【００８３】
機器連係情報データベースは、互換レベルを含んでいることがより好ましい。互換レベルは、上記接続を実現する方式（たとえばＤＬＮＡ）を用いて互いの機器を接続する場合に、互いの機器を接続することによって連携機能を利用可能となる確からしさを示す指標である。互換レベルは、たとえば、機器連係情報提供システムを提供する事業者が、適宜定めることができる。本実施形態では、互換レベルを１から３の３段階とし、確からしさが最も高い場合を互換レベル３とする。
【００８４】
互換レベル１は、接続されるそれぞれの機器が、同一の接続方式に準拠している機器であり、メーカが公表している機器の詳細情報に基づいて接続可能と考えられる場合を意味する。
【００８５】
たとえば、図４の機器連係情報データベースの６行目には、Ａ社のスマートフォンである機器「ＹＹ−０６Ｚ」と、Ｂ社のスマートフォンである機器「ＸＸ−２３Ｂ」とが関連付けて記載されている。Ａ社は、機器「ＹＹ−０６Ｚ」がＤＬＮＡに対応していることを公開しており、Ｂ社は、機器「ＸＸ−２３Ｂ」がＤＬＮＡに対応していることを公開している。このような場合に、機器「ＹＹ−０６Ｚ」と機器「ＸＸ−２３Ｂ」との接続には、互換レベル１が付与される。なお、この場合の相互接続機能名は、「ＤＬＮＡ」である。
【００８６】
互換レベル２は、互換レベル１を満たした上で、インターネット上に公開されているユーザ情報提供サイト、いわゆる口コミサイトにおいて、接続可能である旨の情報がユーザによって投稿されている場合を意味する。
【００８７】
たとえば、図４の機器連係情報データベースの２行目には、Ａ社のテレビである機器「ＭＸ１」と、Ｂ社のスマートフォンである機器「ＸＸ−２３Ｂ」とが関連付けて記載されている。さらに、口コミサイトには、機器「ＭＸ１」と機器「ＸＸ−２３Ｂ」とをＤＬＮＡを用いて接続してみたところ、「問題なく接続に成功した」、「連携機能を利用することができた」などの口コミ情報が投稿されている。このような場合に、機器「ＭＸ１」と機器「ＸＸ−２３Ｂ」との接続には、互換レベル２が付与される。なお、この場合の相互接続機能名は、「ＤＬＮＡ」である。
【００８８】
互換レベル３は、ユーザではない事業者または機関が、各機器の接続を実証実験し、互いの機器を接続することによる連携機能が利用可能であることが確認されていることを意味する。
【００８９】
たとえば、図４の機器連係情報データベースの１行目に記載されているように、Ａ社のテレビである機器「ＭＸ１」とＡ社のスマートフォンである機器「ＹＹ−０６Ｚ」との接続は、Ａ社によって実証実験が行われており、接続可能であることが実証されている。このような場合に、機器「ＭＸ１」と機器「ＹＹ−０６Ｚ」との接続には、互換レベル３が付与される。なお、この場合の相互接続機能名は、「ＤＬＮＡ」である。
【００９０】
なお、上記実証実験を行う事業者または機関は、上記のように機器を製造するメーカであってもよいし、機器連係情報提供システムを提供する事業者であってもよいし、接続方式の規格を定める団体であってもよい。
【００９１】
このように、互いの機器を接続可能で有り、連携機能を利用可能な確からしさは、互換レベル３が最も高く、互換レベル２、１となるにしたがって低くなる。互換レベルにおいて、より上位のレベルは、下位のレベルを包含しているとも表現できる。
【００９２】
なお、サーバ２０は、複数の口コミサイトを自動で巡回し、接続の可否および連携機能の利用の可否に関する情報を取得する手段である接続可否情報収集部を備えていてもよい。接続可否情報収集部を備えていることによって、接続の実証実験が行われていない機器に対しても、連携機能を利用するための確からしさを、ユーザの情報を反映した状態で提供することができる。
【００９３】
（接続可能機器の選択行程）
接続可能機器選択部２２２が、特定情報が特定する対象機器であるテレビ３０の接続可能機器を選択する工程について、図４の機器連係情報データベースを参照しながら説明する。
【００９４】
接続可能機器選択部２２２は、特定情報受信部２２０から特定情報を取得する。ここで、特定情報は、メーカ「Ａ社」、カテゴリ「テレビ」、および、型番「ＭＸ１」であるとする。
【００９５】
接続可能機器選択部２２２は、機器連係情報データベースを参照し、特定情報が含む型番に関連付けられている機器を、接続可能機器として選択する。具体的には、接続可能機器選択部２２２は、型番が「ＭＸ１」であるテレビ３０の接続可能機器として、機器「ＹＹ−０６Ｚ」および機器「ＸＸ−２３Ｂ」を選択する。接続可能機器選択部２２２は、接続可能機器の型番を、接続可能機器情報生成部２２４に供給する。また、接続可能機器選択部２２２は、接続可能機器の型番とともに接続可能機器のメーカ、カテゴリ、相互接続機能名および互換レベルを、接続可能機器情報生成部２２４に供給することが好ましい。
【００９６】
なお、市場に出回っている多様な機器の中には、異なる機器であるが同一の型番が付されている場合がある。特定情報の型番のみに基づいて接続可能機器を選択する場合、このような異なる機器であるが同一の型番を付されている別個の機器を区別することができない。このような事態を避けるために、接続可能機器選択部２２２は、接続可能機器を選択する場合に、特定情報が含むメーカおよびカテゴリも一致する型番に関連付けられている機器を、接続可能機器として選択するように構成されていてもよい。上記の構成によれば、異なる機器であるが同一の型番を付されている別個の機器を区別することができ、ユーザに対して、より精度の高い機器連係情報を提供することができる。
【００９７】
（機器連係情報提供システム１における処理）
図５を参照しながら、携帯端末１０およびサーバ２０を含む機器連係情報提供システム１における処理の流れを説明する。図５は、機器連係情報提供システム１における処理の流れを示すシークエンス図である。なお、以下において、機器連係情報提供システム１を利用するユーザを、ユーザＡと表現する。
【００９８】
ステップＳ１００：ユーザＡは、携帯端末１０の操作部１８を操作し、機器連携情報提供アプリを起動する。
【００９９】
ステップＳ１０２：携帯端末１０は、ＮＦＣ−Ｉ／Ｆ部１４の機能が有効になっているかを確認する。また、携帯端末１０は、無線通信部１１がサーバ２０と通信可能な状態にあるか確認する。
【０１００】
ステップＳ１０４：携帯端末１０の画像生成部１６は、ユーザに対し、携帯端末１０のＮＦＣ−Ｉ／Ｆ部１４をＮＦＣタグにかざすよう促す画面（以下、単に「かざす画面」とも呼称する）を生成し、表示部１７に描画する。
【０１０１】
ステップＳ１０６：携帯端末１０は、ユーザＡに対して、かざす画面が提示する。
【０１０２】
ステップＳ１０８：ユーザＡは、携帯端末１０のＮＦＣ−Ｉ／Ｆ部１４を、テレビ３０に貼られているＮＦＣタグの近傍にかざす。
【０１０３】
ステップＳ１１０：ＮＦＣ−Ｉ／Ｆ部１４は、テレビ３０に貼られているＮＦＣタグに対して、ＮＦＣデータを要求する。
【０１０４】
ステップＳ１１２：テレビ３０に貼られているＮＦＣタグは、ＮＦＣ−Ｉ／Ｆ部１４からの要求に対して応答する。言い換えれば、ＮＦＣ−Ｉ／Ｆ部１４は、ＮＦＣタグからＮＦＣデータを取得する。
【０１０５】
ステップＳ１１４：携帯端末１０の制御部１２が備えているＮＦＣデータデコーダは、ＮＦＣ−Ｉ／Ｆ部が取得したＮＦＣデータをデコードすることによって、テレビ３０を特定するための特定情報を取得する。したがって、ＮＦＣ−Ｉ／Ｆ部１４およびＮＦＣデータデコーダが、特定情報取得部１２０に相当すると言える。
【０１０６】
ステップＳ１１６：特定情報送信部１２４は、テレビ３０を特定する特定情報を、無線通信部１１を介して、サーバ２０へ送信する。
【０１０７】
ステップＳ１１８：特定情報管理部１２２は、テレビ３０の特定情報を、記憶部１３に記憶させることが好ましい。また、特定情報管理部１２２は、テレビ３０の特定情報を、画像表示指示部１３０へ供給してもよい。テレビ３０の特定情報を供給された場合、画像表示指示部１３０は、テレビ３０の特定情報と、テレビ３０に接続可能な接続可能機器に関する情報を検索中であることを示す情報とを、ユーザＡに対して提示する画像を生成するように画像生成部１６へ指示する。
【０１０８】
ステップＳ１２０：画像生成部１６は、上記指示にしたがい生成した画像を、表示部１７に表示する。
【０１０９】
ステップＳ１２２：サーバ２０の特定情報受信部２２０は、携帯端末１０から、テレビ３０の特定情報を受信する。接続可能機器選択部２２２は、記憶部２３に格納されているデータベースを検索して、テレビ３０に接続可能な１または複数の接続可能機器を選択する。
【０１１０】
ステップＳ１２４：接続可能機器情報生成部２２４は、接続可能機器選択部２２２が選択した１または複数の接続可能機器を示す接続可能機器情報を生成する。接続可能機器情報送信部２２６は、接続可能機器情報生成部２２４が生成した接続可能機器情報を、通信部２１を介して携帯端末１０へ送信する。
【０１１１】
ステップＳ１２６：接続可能機器情報受信部１２６は、無線通信部１１を介して、サーバ２０が送信した接続可能機器情報を受信する。接続可能機器情報管理部１２８は、記憶部１３に記憶されているテレビ３０の特定情報に、サーバ２０から受信した接続可能機器情報を関連付けて管理する（記憶部１３に記憶させる）ことが好ましい。
【０１１２】
ステップＳ１２８：画像表示指示部１３０は、接続可能機器情報管理部１２８からテレビ３０の接続可能機器情報を取得し、テレビ３０に関する相互接続マップの画像を生成するように、画像生成部１６に指示する。テレビ３０に関する相互接続マップとは、取得した接続可能機器と、テレビ３０と、が接続可能であることを示す画像のことである。画像生成部１６は、当該指示を受けて、テレビ３０に関する相互接続マップを生成する。
【０１１３】
ステップＳ１３０：画像表示指示部１３０は、画像生成部１６が生成したテレビ３０に関する相互接続マップを、表示部１７へ表示させる。テレビ３０に関する相互接続マップは、表示部１７へ表示されることによって、ユーザＡに提示される。
【０１１４】
（携帯端末１０の所有者登録）
以下に、携帯端末１０の表示部１７に表示される画像の遷移について、図６を参照しながら説明する。機器連係情報提供システム１は、自身が所有する機器として、携帯端末、テレビ３０などの各機器を登録可能なように構成されていてもよい。図６は、所有機器として登録していない携帯端末１０を用いて、機器連係情報提供アプリを実行する場合に、表示部１７に表示される画像の遷移について示す図である。
【０１１５】
図６のステップＳ１０２ａ〜Ｓ１０２ｃは、図５に記載されているＮＦＣ確認の工程（ステップＳ１０２）をより細分化したものである。
【０１１６】
所有者登録されていない携帯端末１０を用いて機器連係情報提供アプリを実行した場合、特定情報取得部１２０は、ＮＦＣ−Ｉ／Ｆ部１４の機能がＯＮにされているか否かを確認する（ステップＳ１０２ａ）。ＮＦＣ−Ｉ／Ｆ部１４の機能がＯＮになっていない場合、画像表示指示部１３０は、ＮＦＣ−Ｉ／Ｆ部１４の機能設定画面を画像生成部１６に生成させ、表示部１７に表示させる（ステップＳ１０２ｂ）。ＮＦＣ−Ｉ／Ｆ部１４の設定画面において、ＮＦＣ−Ｉ／Ｆ部１４の機能が設定されない場合（ステップＳ１０２ｃにおいてＮＯ）、機器連係情報提供アプリは終了する。
【０１１７】
ステップＳ１０２ａおよびＳ１０２ｃのいずれかにおいて、判定結果がＹＥＳである場合、すなわち、ＮＦＣ−Ｉ／Ｆ部１４の機能が設定されている場合、画像表示指示部１３０は、「お使いの端末を所有機器として登録しますか？」というメッセージと、「はい」ボタンＹと、「いいえ」ボタンＮとを含む画像を、画像生成部１６に生成させ、表示部１７に表示させる。
【０１１８】
ここで、ユーザＡが、「はい」ボタンＹを選択（タップ）すると、携帯端末１０の特定情報管理部１２２は、携帯端末１０の特定情報に、たとえば携帯端末１０に固有の端末識別情報を関連付けて管理する。本実施形態では、製造時に付与される端末ＩＤを端末識別情報として説明する。端末識別情報は、携帯端末１０に割り当てられている電話番号であってもよい。携帯端末１０の特定情報と、携帯端末１０の端末識別情報とが関連付けられた場合、画像表示指示部１３０は、「登録しました。」というメッセージと「ＯＫ」ボタンＢ１とを、画像生成部１６に生成させ、表示部１７に表示させる。
【０１１９】
携帯端末１０の所有者登録が完了したのちに、ユーザＡが「ＯＫ」ボタンＢ１を選択すると、画像表示指示部１３０は、表示部１７に「かさしてください。」というメッセージと、「メニュー」ボタンＭとを表示させる。当該画面は、図５に示すステップＳ１０４において表示される「かざす画面」に相当する。
【０１２０】
なお、「お使いの端末を所有機器として登録しますか？」というメッセージを含む画面において、ユーザＡが「いいえ」ボタンＮを選択した場合、画像表示指示部１３０は、上述の「かざす画面」を表示部１７に表示させる。
【０１２１】
機器連係情報提供アプリを利用する場合に、本実施形態に係る携帯端末１０を所有者登録しておくと、後述する相互接続マップに所有者登録されていることを示すシンボル（以下、所有者シンボル）を付与される。したがって、相互接続マップにおいて、所有者登録している機器を判別することが容易になる。なお、所有者シンボルの態様については、後述する。
【０１２２】
たとえば、図２（ｂ）に示す相互接続マップに表されているスマートフォンを示すシンボルには、所有者シンボルが付与されていない。したがって、図２（ｂ）に示す相互接続マップは、所有者登録をしない携帯端末１０を用いて、テレビ３０のＮＦＣタグ３１をかざした場合のものである。
【０１２３】
なお、以上の方法では、携帯端末１０の使用者は、携帯端末１０に割り当てられている電話番号に関連付けられているユーザであるが、機器連係情報提供システムの側からは、そのユーザが誰であるのかを特定できない。ただし、携帯端末は、１人のユーザ（たとえばユーザＡ）が個人の所有物として使用する場合が多く、図２（ａ）に示す例であれば、携帯端末１０の使用者は、高い確率でユーザＡであると考えられる。
【０１２４】
機器連係情報提供システムを利用するユーザを、より正確に特定する場合には、機器連係情報提供システムに登録する場合に、各ユーザに対して固有のユーザＩＤを割り当て、携帯端末１０の特定情報と、携帯端末１０を所有するユーザのユーザＩＤとを関連付けて管理すればよい。
【０１２５】
（相互接続マップの表示例１）
携帯端末１０は、すでに所有者登録されているものとする。ここでは、テレビ３０を対象機器とする場合の相互接続マップの表示例を、図７を参照しながら説明する。図７は、携帯端末１０に表示される画面の遷移例を示す図である。
【０１２６】
ステップＳ１０２ａ〜Ｓ１０２ｃについては、上述した通りである。ステップＳ１０２ａおよびＳ１０２ｃのいずれかにおいて、判定結果がＹＥＳである場合、画像表示指示部１３０は、表示部１７に「かざす画面」を表示させる（ステップＳ１０６に相当）。ユーザＡが、携帯端末１０をテレビ３０のＮＦＣタグ３１にかざす（ステップＳ１０８）と、特定情報取得部１２０は、取得したＮＦＣデータをデコードし、テレビ３０の特定情報を取得する。
【０１２７】
特定情報管理部１２２は、テレビ３０の特定情報が含む型番「ＭＸ１」が所有者登録済であるかを、機器連係情報データベースを参照して判定する。より具体的には、機器「ＭＸ１」と、携帯端末１０の端末識別情報とが関連付けられているか否かを判定してもよい（ステップＳ１１５ａ）。
【０１２８】
機器「ＭＸ１」と、携帯端末１０の端末識別情報とが関連付けられている（ステップＳ１１５ａにおいてＹＥＳ）場合、サーバ２０から受信する接続可能機器情報に応じて、画像表示指示部１３０は、テレビ３０である機器「ＭＸ１」を表すシンボルと、１０機種のスマートフォンを表すシンボルと、３機種のレコーダを表すシンボルとを含む相互接続マップを、表示部１７に表示させる。ここで、機器「ＭＸ１」を表すシンボルおよびスマートフォンを表すシンボル、ならびに、機器「ＭＸ１」を表すシンボルおよびレコーダを表すシンボルは、それぞれ接続可能であることを意味する破線によって繋がれている。
【０１２９】
また、１０機種のスマートフォンは、所有者登録されている携帯端末１０を含んでいるため、スマートフォンを表すシンボルには、所有者シンボルである四角い枠が付されている。同様に、機器「ＭＸ１」は、所有者登録されている機器であるため、機器「ＭＸ１」を表すシンボルには、所有者シンボルである四角い枠が付されている。一方、３機種のレコーダは、所有者登録されているレコーダを含んでいないため、レコーダを表すシンボルには、所有者シンボルである四角い枠が付されていない。
【０１３０】
このように、所有者登録されている機器に所有者シンボルが付されていることによって、相互接続マップを提示されるユーザＡは、相互接続マップに表されている複数のシンボルのうち、所有者登録されている機器を表すシンボルを容易に把握することができる。
【０１３１】
機器「ＭＸ１」と、携帯端末１０の端末識別情報とが関連付けられていない（ステップＳ１１５ａにおいてＮＯ）場合、特定情報取得部１２０は、ＮＦＣ−Ｉ／Ｆ部１４をＮＦＣタグにかざしたときに、当該ＮＦＣタグから取得したＮＦＣデータが表す特定情報が特定する対象機器を、所有者登録する設定がＯＦＦになっているか否かを判定する（ステップＳ１１５ｂ）。
【０１３２】
上記設定がＯＦＦになっている（ステップＳ１１５ｂにおいてＹＥＳである）場合、サーバ２０から受信した接続可能機器情報に応じて、画像表示指示部１３０は、テレビ３０である機器「ＭＸ１」を表すシンボルと、１０機種のスマートフォンを表すシンボルと、３機種のレコーダを表すシンボルとを含む相互接続マップを、表示部１７に表示させる。ここで、機器「ＭＸ１」を表すシンボルおよびスマートフォンを表すシンボル、ならびに、機器「ＭＸ１」を表すシンボルおよびレコーダを表すシンボルは、それぞれ接続可能であることを意味する破線によって繋がれている。
【０１３３】
なお、機器「ＭＸ１」は、所有者登録済の機器ではなく、かざしたときに所有者登録する設定がＯＦＦになっていたため、機器「ＭＸ１」には所有者シンボルが付されていない。
【０１３４】
上記設定がＯＦＦになっていない（ステップＳ１１５ｂにおいてＮＯである）場合、画像表示指示部１３０は、「ＭＸ１」を「所有機器として登録しますか？」というメッセージと、「はい」ボタンＹと、「いいえ」ボタンＮとを表す画像を、表示部１７に表示させる。ここで、ユーザＡが「いいえ」ボタンＮを選択した場合、機器「ＭＸ１」に所有者シンボルが付されていない相互接続マップが表示される。
【０１３５】
一方、ここで、ユーザＡが「はい」ボタンＹを選択した場合、特定情報管理部１２２は、機器「ＭＸ１」を特定する特定情報と、携帯端末１０の端末識別情報とを関連付けて管理する。したがって、機器「ＭＸ１」は、所有者登録される。画像表示指示部１３０は、「登録しました」というコメントと、「ＯＫ」ボタンＢ１とを含む画像を、表示部１７に表示させる。
【０１３６】
「ＯＫ」ボタンＢ１、または、携帯端末１０の操作部１８に設けられている戻るボタンが選択されると、画像表示指示部１３０は、機器「ＭＸ１」にも所有者シンボルが付された相互接続マップが表示される。
【０１３７】
なお、所有者シンボルは、四角い枠に限定されるものではなく、所有者登録されていない機器を表すシンボルと区別可能なものであればどのようなものでも利用できる。
【０１３８】
また、所有者登録されている機器に四角い枠を付すことに代えて、もしくはそれに加えて、所有者登録されている機器を表すシンボル同士を、実線で結ぶ構成としてもよい。このような構成とすることによって、相互に接続可能であることをユーザが認識していなかった機器をユーザに知らせることができる。
【０１３９】
（相互接続マップの表示例１の変形例）
上述したように、相互接続マップの表示例１において、画像表示指示部１３０は、機器が所有者登録されているか否かに関わらず、サーバ２０から受信する接続可能機器情報に応じて、テレビ３０である機器「ＭＸ１」に接続可能な接続可能機器を表すシンボルを表示する画像（相互接続マップ）を生成するように画像生成部１６に指示する。
【０１４０】
相互接続マップの別の例として、画像表示指示部１３０は、対象機器を表すシンボルと、接続可能機器情報に含まれる接続可能機器のうち、所有者登録済みである接続可能機器を表すシンボルとを表示する画像（相互接続マップ）を生成するように、画像生成部１６に指示する構成であってもよい。換言すれば、当該画像には、接続可能機器情報に含まれる接続可能機器のうち、所有者登録済みである接続可能機器を表すシンボル以外のシンボルを含まない構成であってもよい。接続可能機器の数が多い場合、相互接続マップに、対象機器を表すシンボルと、所有者登録済みである接続可能機器を表すシンボルのみが表示されることによって、ユーザは、自身が所有している機器のうち対象機器に接続可能な機器を把握することが容易になる。
【０１４１】
（相互接続マップの表示例２）
携帯端末１０およびテレビ３０は、すでに所有者登録されたものとする。さらに、レコーダ４０を対象機器とする場合の相互接続マップの表示例を、図８を参照しながら説明する。図８は、携帯端末１０に表示される画面の遷移例を示す図である。
【０１４２】
レコーダ４０を特定する特定情報が含む型番は、「ＹＹ−ＢＤ１１」である。したがって、レコーダ４０のことを機器「ＹＹ−ＢＤ１１」とも記載する。
【０１４３】
図８に示す画面の遷移は、かざす対象機器がレコーダ４０である以外は、図７に示す画面の遷移と同様である。したがって、ここではステップＳ１０２ａ〜Ｓ１０２ｃおよびステップＳ１１５ａ〜Ｓ１１５ｂに関する説明は省略する。
【０１４４】
ステップＳ１１５ａにおいて、レコーダ４０が所有者登録済である場合、および、機器「ＹＹ−ＢＤ１１」をあらたに所有者登録した場合、機器「ＹＹ−ＢＤ１１」を表すシンボル、スマートフォンを表すシンボルおよびテレビを表すシンボルのいずれにも所有者シンボルが付される。
【０１４５】
（ｉ）ステップＳ１１５ｂにおいて、携帯端末をＮＦＣタグにかざした時に所有者登録する設定がＯＦＦになっている場合、および、（ｉｉ）機器「ＹＹ−ＢＤ１１」をあらたに所有者登録しなかった場合、相互接続マップにおけるスマートフォンを表すシンボルおよびテレビを表すシンボルには所有者シンボルが付される。一方、機器「ＹＹ−ＢＤ１１」を表すシンボルには所有者シンボルが付されない。
【０１４６】
（対象機器について）
携帯端末１０は、相互接続マップにおいて、対象機器である機器「ＭＸ１」が選択された場合、対象機器に関する情報を表示部１７に表示するように構成されていてもよい。図９を参照しながら、対象機器を表すシンボルが選択された場合における画面の遷移について説明する。図９は、携帯端末１０に表示される画面の遷移例を示す図である。
【０１４７】
図９（ａ）に示す相互接続マップは、対象機器である機器「ＭＸ１」を表すシンボル、接続可能機器である１０機種のスマートフォンをまとめて表すシンボル、および接続可能機器である３機種のレコーダをまとめて表すシンボルを表している。
【０１４８】
ユーザＡによって機器「ＭＸ１」を表すシンボルを選択（タップ）されると、画像表示指示部１３０は、表示部１７に表示させている画面を、図９（ｂ）に示す画面に遷移させる。図９（ｂ）に示す画面は、領域Ｒ３および領域Ｒ４を含んでいる。
【０１４９】
領域Ｒ３は、対象機器または接続可能機器の型番、対象機器または接続可能機器のカテゴリ、および、接続する複数の機器の型番などを表示するための領域である。図９（ｂ）に示す図において、領域Ｒ３には、対象機器の型番である「ＭＸ１」が表示されている。
【０１５０】
領域Ｒ４は、たとえば領域Ｒ３に表示されている機器に関する情報などを表示するための領域である。図９（ｂ）に示す図において、領域Ｒ４には、機器「ＭＸ１」に関する詳細情報（対象機器詳細情報）が表示されている。詳細情報とは、該当する機器の特徴、機能の一覧を含んでいることが好ましい。また、詳細情報は、上記機能の一覧に記載された各機能ついての説明を含んでいてもよい。
【０１５１】
対象機器詳細情報は、サーバ２０から受信する接続可能機器情報に含まれていることが好ましい。携帯端末１０の接続可能機器情報管理部１２８は、接続可能機器情報から対象機器詳細情報を抽出し、画像表示指示部１３０に供給すればよい。この場合、接続可能機器情報管理部１２８は、対象機器詳細情報取得手段としても機能する。
【０１５２】
また、携帯端末１０の対象機器詳細情報受信手段は、対象機器詳細情報を、サーバ２０とは異なるサーバから取得するように構成されていてもい。
【０１５３】
図９（ｂ）に示す画面が表示されている状態において、「メニュー」が選択された場合、画像表示指示部１３０は、表示されている画面に領域Ｒ５を重畳させる（図９（ｃ）参照）。領域Ｒ５は、「所有機器登録」ボタンＢ２および「設定」ボタンＢ３を含んでいる。「所有機器登録」Ｂ２が選択されると、画像表示指示部１３０は、表示されている画面を、図９（ｅ）に示す画面に遷移させる。
【０１５４】
図９（ｅ）に示す画面は、ユーザに対して機器「ＭＸ１」を所有機器として所有者登録するか尋ねる画面である。具体的には、図９（ｅ）に示す画面は、「「ＭＸ１」を所有機器として登録しますか？」というメッセージ、「はい」ボタンＹおよび「いいえ」ボタンＮを含んでいる。「はい」ボタンＹが選択されると、特定情報管理部１２２は、機器「ＭＸ１」を所有者登録し、画像表示指示部１３０は、図９（ｄ）に示す画面に遷移させる。
【０１５５】
図９（ｅ）に示す画面において「いいえ」ボタンＮが選択される、または、図９（ｄ）に示す画面において「ＯＫ」ボタンＢ１が選択されると、画像表示指示部１３０は、図９（ｂ）に示す画面に遷移させる。
【０１５６】
（相互接続情報）
携帯端末１０は、相互接続マップにおいて、対象機器を表すシンボルと、接続可能機器を表すシンボルが選択された場合、対象機器と接続可能機器との接続に関する情報である相互接続情報を、表示部１７に表示してもよい。図１０を参照しながら、相互接続情報の表示について説明する。図１０は、携帯端末１０に表示される画面の遷移例を示す図である。
【０１５７】
図１０（ａ）に示す相互接続マップは、対象機器である機器「ＭＸ１」を表すシンボル、接続可能機器である１０機種のスマートフォンをまとめて表すシンボル、および接続可能機器である３機種のレコーダをまとめて表すシンボルを表している。
【０１５８】
図１０（ｂ）に示すように、ユーザＡは、対象機器を表すシンボルと、接続可能機器であるスマートフォンを表すシンボルとを、ユーザＡが選択する。具体的には、ユーザＡが表示部１７の表面をなぞり、対象機器を表すシンボルと、接続可能機器であるスマートフォンを表すシンボルとを囲む操作を受け付けた場合に、携帯端末１０は、対象機器を表すシンボルと、接続可能機器であるスマートフォンを表すシンボルとが選択されたと認識する。当該操作を認識した場合、画像表示指示部１３０は、表示されている画面を、図１０（ｃ）に示す画面に遷移させる。
【０１５９】
図１０（ｃ）に示す画面は、領域Ｒ３と、領域Ｒ４とを含んでおり相互接続情報を示す画面である。領域Ｒ３には、対象機器であるテレビ３０の型番「ＭＸ１」が表示されている。画像表示指示部１３０は、接続可能機器情報に基づいて、領域Ｒ４に、接続可能機器の型番を表示させることが好ましい。また、画像表示指示部１３０は、「ＭＸ１」と接続可能機器とを接続可能な接続方式の名称（相互接続機能名）、および、「ＭＸ１」と接続可能機器との接続における互換レベルも併せて表示させることが好ましい。そのために、接続可能機器情報管理部１２８は、対象機器の接続可能機器情報から上記接続方式の名称を取得する接続方式名称取得手段、および、互換レベルを取得する互換レベル取得手段として機能することが好ましい。
【０１６０】
図１０（ｃ）に示す画面の領域Ｒ４には、たとえば、機器「ＭＸ１」と機器「ＹＹ−０６Ｚ」とは、ＭｉｒａｃａｓｔまたはＤＬＮＡを利用することによって接続可能であることが示されている。また、機器「ＭＸ１」と機器「２２６ＹＹ」とは、Ｍｉｒａｃａｓｔ、ＤＬＮＡまたはＢｌｕｅｔｏｏｔｈを利用することによって接続可能であることが示されている。
【０１６１】
さらに、領域Ｒ４には、Ｍｉｒａｃａｓｔ、ＤＬＮＡなどの接続方式とともに、それぞれの接続方式によって接続した場合の互換レベルが、たとえば「（レベル３）」のように表示されている。当該構成によれば、ユーザは、機器「ＭＸ１」と接続可能機器とを接続する場合に、互いの機器を接続することによって連携機能を利用可能となる確からしさを把握することができる。
【０１６２】
接続可能機器の数が多い場合には、領域Ｒ４をスクロール可能に構成しておけばよい。
【０１６３】
図１０（ｃ）に示す画面において、機器「２２６ＹＹ」の「Ｂｌｕｅｔｏｏｔｈ」を選択した場合、画像表示指示部１３０は、表示されている画面を、図１０（ｅ）に示す画面に遷移させる。図１０（ｅ）に示す画面は、領域Ｒ３および領域Ｒ４を含んでいる。領域Ｒ３には、「ＭＸ１  ＶＳ  ２２６ＹＹ」と表示されている。この表示は、機器「ＭＸ１」と機器「２２６ＹＹ」とを接続した場合であることを意味する。画像表示指示部１３０は、領域Ｒ４に、機器「ＭＸ１」と機器「２２６ＹＹ」とをＢｌｕｅｔｏｏｔｈを利用して接続した場合に、どのような連携機能が実現可能であるかを示す連携機能情報を表示させる。また、領域Ｒ４に、対象機器「ＭＸ１」と接続可能機器「２２６ＹＹ」とをＢｌｕｅｔｏｏｔｈを利用して接続した場合の互換レベルを表示させてもよい。
【０１６４】
携帯端末１０が連携機能情報を表示可能な構成とする場合、サーバ２０の接続可能機器情報生成部２２４は、連携機能情報を含む接続可能機器情報を生成するように構成されていればよい。携帯端末１０の接続可能機器情報管理部１２８は、接続可能機器情報から該当する連携機能情報を抽出し、画像表示指示部１３０に供給すればよい。この場合、接続可能機器情報管理部１２８は、連携機能情報取得手段としても機能する。
【０１６５】
また、携帯端末１０の連携機能情報選択手段は、連携機能情報を、サーバ２０とは異なるサーバから取得するように構成されていてもよい。
【０１６６】
上述の例では、対象機器を表すシンボルと、接続可能機器であるスマートフォンを表すシンボルとを囲むことによって、２つのシンボルを選択する例を示した。しかし、２つのシンボルを選択する方法は、これに限定されるものではない。２つのシンボルの選択は、図１０（ｄ）に示すように、対象機器を表すシンボルと、接続可能機器であるスマートフォンを表すシンボルとを結ぶ破線を選択することによって行われてもよい。
【０１６７】
ユーザＡが破線を選択することによって、対象機器を表すシンボルと、接続可能機器であるスマートフォンを表すシンボルとを選択した場合、画像表示指示部１３０は、表示している画面を図１０（ｃ）に示す画面に遷移させ、相互接続情報を表示させる。
【０１６８】
また、対象機器を表すシンボルと、接続可能機器であるスマートフォンとを選択する別の方法として、接続可能機器を表すシンボルを、対象機器を表すシンボルにドラッグ＆ドロップしてもよい。図１１（ａ）に示す相互接続マップは、図１０（ａ）に示すものと同一である。
【０１６９】
図１１（ｂ）に示すように、ユーザＡが接続可能機器を表すシンボルを、対象機器を表すシンボルにドラッグ＆ドロップすることによって、携帯端末１０は、対象機器を表すシンボルと、接続可能機器であるスマートフォンを表すシンボルとが選択されたと識別するように構成されていてもよい。この場合、画像表示指示部１３０は、表示されている画面を、図１１（ｃ）に示す相互接続情報を示す画面に遷移させる。なお、図１１（ｃ）に示す画面は、図１０（ｂ）に示す画面と同じである。
【０１７０】
（接続可能機器について）
携帯端末１０は、相互接続マップにおいて、接続可能機器のカテゴリを表すシンボルが選択された場合、接続可能機器に関する情報を表示部１７に表示するように構成されていてもよい。図１２を参照しながら、接続可能機器のカテゴリを表すシンボル（ここではスマートフォンを表すシンボル）が選択された場合における画面の遷移について説明する。図１２は、携帯端末１０に表示される画面の遷移例を示す図である。
【０１７１】
図１２（ａ）に示す相互接続マップは、対象機器である機器「ＭＸ１」を表すシンボル、接続可能機器である１０機種のスマートフォンをまとめて表すシンボル、および接続可能機器である３機種のレコーダをまとめて表すシンボルを表している。
【０１７２】
ユーザＡによってスマートフォンを表すシンボルを選択（タップ）されると、画像表示指示部１３０は、表示部１７に表示されている画面を、図１２（ｂ）に示す画面に遷移させる。図１２（ｂ）に示す画面は、領域Ｒ３および領域Ｒ４を含んでいる。領域Ｒ３には、接続可能機器のカテゴリである「スマートフォン」が表示されている。領域Ｒ４には、１０機種のスマートフォンの型番が表示されている。
【０１７３】
ユーザＡによって、領域Ｒ４に表示されているスマートフォンの型番のうち「ＹＹ−０６Ｚ」が選択されると、画像表示指示部１３０は、表示されている画面を図１２（ｃ）に示す画面に遷移させる。図１２（ｃ）に示す画面は、選択されたスマートフォンの型番「ＹＹ−０６Ｚ」を示す領域Ｒ３と、機器「ＹＹ−０６Ｚ」の製品情報を表示する領域Ｒ４を含んでいる。上述したとおり、製品情報は、該当する機器の特徴、機能の一覧を含んでいることが好ましい。また、製品情報は、上記機能の一覧に記載された各機能ついての説明を含んでいてもよい。
【０１７４】
図１２（ｃ）に示す画面が表示されている状態において、「メニュー」が選択された場合、画像表示指示部１３０は、表示されている画面に、「所有機器登録」ボタンＢ２および「設定」ボタンＢ３を重畳させる（図１２（ｆ）参照）。「所有機器登録」Ｂ２が選択されると、画像表示指示部１３０は、表示されている画面を、図１２（ｅ）に示す画面に遷移させる。
【０１７５】
図１２（ｅ）に示す画面は、ユーザに対して機器「ＹＹ−０６Ｚ」を所有機器として所有者登録するか尋ねる画面である。具体的には、図１２（ｅ）に示す画面は、「「ＹＹ−０６Ｚ」を所有機器として登録しますか？」というメッセージ、「はい」ボタンＹおよび「いいえ」ボタンＮを含んでいる。「はい」ボタンＹが選択されると、特定情報管理部１２２は、機器「ＹＹ−０６Ｚ」を所有者登録し、画像表示指示部１３０は、図１２（ｄ）に示す画面に遷移させる。
【０１７６】
図１２（ｅ）に示す画面において「いいえ」ボタンＮが選択される、または、図１２（ｄ）に示す画面において「ＯＫ」ボタンＢ１が選択されると、画像表示指示部１３０は、図１２（ｃ）に示す画面に遷移させる。
【０１７７】
（所有者登録されている機器）
携帯端末１０は、所有者登録されている機器を管理することができるように構成されていることが好ましい。図１３を参照しながら、所有者登録されている機器の一覧表示、および、所有者登録されている機器の削除について説明する。図１３は、携帯端末１０に表示される画面の遷移例を示す図である。
【０１７８】
図１３（ａ）に示す画面は、たとえばステップＳ１０４（図５参照）において表示されるかざす画面である。当該かざす画面において、「メニュー」ボタンＭが選択された場合、画像表示指示部１３０は、表示されている画面を、図１３（ｂ）に示す画面に遷移させる。具体的には、画像表示指示部１３０は、「設定」ボタンＢ３、「登録一覧」ボタンＢ４および「複数かざす」ボタンＢ５を表示部１７に表示させる。ここでは、「登録一覧」ボタンＢ４が選択される場合について説明し、「設定」ボタンＢ３および「複数かざす」ボタンＢ５については後述する。
【０１７９】
「登録一覧」ボタンＢ４が選択された場合、特定情報管理部１２２は、携帯端末１０の端末識別情報に関連付けられている機器の型番を選択し、画像表示指示部１３０は、選択された機器の型番の一覧を、領域Ｒ６に表示させる（図１２（ｃ）参照）。言い換えれば、画像表示指示部１３０は、所有者登録されている機器の型番の一覧を、表示部１７に表示させる。
【０１８０】
図１３（ｃ）に示す画面を表示中に「メニュー」が選択された場合、画像表示指示部１３０は、図１３（ｄ）に示すように「削除」ボタンＤを重畳して表示部１７に表示させる。
【０１８１】
「削除」ボタンＤが選択された場合、画像表示指示部１３０は、所有者登録されている機器から削除する機器を選択するための画面を表示させる。具体的には、図１３（ｈ）に示すように、所有者登録されている機器の一覧と、所有者登録されている各機器を選択可能にするためのチェックボックスとを領域Ｒ６に表示させ、「削除」ボタンＤおよび「キャンセル」ボタンＣＬを併せて表示させる。
【０１８２】
ユーザＡは、所有者登録されている機器のち、所有者登録を削除した機器を選択するチェックボックスにチェックを入れる。図１３（ｈ）に示す画面は、２つの所有者登録されている機器が削除対象の対象機器とされていることを意味する。ここで、ユーザＡが「削除」ボタンＤを選択した場合、削除の対象機器であった２つの機器は、所有者登録を削除される。具体的には、特定情報管理部１２２は、削除の対象機器と、携帯端末１０の端末識別情報との関連付けを削除する。また、画像表示指示部１３０は、表示されていた画面を、図１３（ｇ）に示す画面に遷移させる。
【０１８３】
図１３（ｇ）に示す画像の領域には、削除の対象機器とされていた機器の所有者登録を削除したことを示すメッセージ「削除しました」と、現時点において所有者登録されている機器とが表示されている。ユーザＡが、引き続き所有者登録されている機器の削除を行いたい場合、該当する機器のチェックボックスにチェックを入れ、「削除」ボタンＤを選択すればよい。当該画面において、「キャンセル」ボタンＣＬが選択されると、画像表示指示部１３０は、表示されている画面を、図１３（ｃ）に示す画面に遷移させる。
【０１８４】
図１３（ａ）に示すかざす画面から所有者登録されている機器の一覧を示す画面へ遷移する例を説明したが、図１３（ｅ）に示す相互接続マップから上記一覧画面へ遷移できるように、携帯端末１０は、構成されていてもよい。たとえば、図１３（ｅ）に示す相互接続マップにおいて、「メニュー」が選択された場合、画像表示指示部１３０は、「登録一覧」ボタンＢ４および「設定」ボタンＢ３を重畳して表示させる。ここで、ユーザＡによって「登録一覧」ボタンＢ４が選択された場合、画像表示指示部１３０は、表示されている画面を、図１３（ｃ）に示す上記一覧画面へ遷移させてもよい。
【０１８５】
（特定情報取得時の所有者登録）
図７および図８に示すステップＳ１１５ｂにおいて、特定情報取得部１２０は、ＮＦＣ−Ｉ／Ｆ部１４をＮＦＣタグにかざしたときに、当該ＮＦＣタグから取得したＮＦＣデータが表す特定情報が特定する対象機器を、所有者登録する設定がＯＦＦになっているか否かを判定することを説明した。ここでは、対象機器から特定情報を取得した場合に、当該対象機器を所有者登録するか否かの設定について、図１４を参照しながら説明する。図１４は、携帯端末１０に表示される画面の遷移例を示す図である。
【０１８６】
図１４（ａ）および（ｂ）は、図１３（ａ）および（ｂ）と同一の画面であるため、ここではその説明を省略する。
【０１８７】
図１４（ｂ）に示す画面において、ユーザＡによって「設定」ボタンＢ３が選択されると、画像表示指示部１３０は、表示されている画面を、図１４（ｃ）に示す画面に遷移させる。当該画面には、「かざすと同時に登録確認」というメッセージが示されている。「かざすと同時に登録確認」とは、対象機器から特定情報を取得した場合に、当該対象機器を所有者登録するか否かの確認画面（図７および８参照）を表示させることを意味する。図１４（ｃ）に示す画面は、「かざすと同時に登録確認」を選択するチェックボックスを含んでいる。ユーザＡが、「かざすと同時に登録確認」を選択する場合には当該チェックボックスにチェックを入れ、選択しない場合には当該チェックボックスにチェックを入れない状態にする。当該チェックボックスのチェックを外して設定された場合、ステップＳ１１５ｂの「かざすと登録設定ＯＦＦ」はＹＥＳである。一方、当該チェックボックスのチェックを付して設定された場合、ステップＳ１１５ｂはＮＯである。
【０１８８】
なお、携帯端末１０は、表示部１７に相互接続マップが表示されている状態から、図１４（ｃ）に示す画面に遷移可能なように構成されていてもよい。図１４（ｄ）および（ｅ）に示す図は、図１３（ｅ）および（ｆ）に示す図と同一である。図１４（ｅ）に示す画面において、「設定」ボタンＢ３が選択されることによって、画像表示指示部１３０は、表示されている画像を、図１４（ｃ）に示す画面に遷移させてもよい。
【０１８９】
（変形例）
本実施形態において、携帯端末１０は、上述のように対象機器の特定情報を示す特定情報を、対象機器に貼り付けられているＮＦＣタグ３１から取得するものとして説明した（図２（ａ）参照）。しかし、特定情報を携帯端末１０に提供する手段は、ＮＦＣタグに限定されるものではなく、たとえばＱＲコード（登録商標）であってもよい。なお、ＱＲコードは、二次元バーコードの一類型である。
【０１９０】
特定情報をＱＲコードから取得する場合、ユーザＡは、携帯端末１０のカメラ機能を利用してＱＲコードを撮影する。具体的には、携帯端末１０が備えているカメラ部１５は、ＱＲコードを撮影し、当該ＱＲコードを示す画像データを生成し、制御部１２へ供給する。
【０１９１】
制御部１２が備えている特定情報取得部１２０は、ＱＲコードを示す画像データを画像処理し、対象機器を特定する特定情報を取得する。これ以降の処理は、図３に示すシークエンス図のステップＳ１１６以降の処理と同様である。
【０１９２】
ＱＲコードを利用して特定情報を取得する場合、ＱＲコードは、テレビ３０の本体に貼り付けられている場合に加え、テレビ３０のカタログなどに印刷されていてもよいし、テレビ３０を紹介するウェブページ上などに表示されていてもよい。ＱＲコードから特定情報を取得する構成によって、ユーザは、対象機器に実際に触れることができない状況であっても、対象機器の特定情報を容易に取得することができる。
【０１９３】
〔実施形態２〕
本発明の実施形態２について、図１５を参照しながら説明する。なお、説明の便宜上、前記実施形態にて説明した部材と同じ機能を有する部材については、同じ符号を付記し、その説明を省略する。
【０１９４】
機器連係情報提供システム１が含むサーバ２０において、接続可能機器選択部２２２は、図４に記載の機器連係情報データベースに代えて、別の態様の機器連係情報データベースを参照することによって、接続可能機器を選択してもよい。本実施形態では、接続可能機器選択部２２２は、図１５に示す機器連係情報データベースを参照し、接続可能機器を選択する。
【０１９５】
（機器連係情報データベースの変形例）
図１５は、本実施形態に係るサーバ２０に格納されている機器連係情報データベースの一例を示す図である。機器連係情報データベースは、図１５（ａ）に示すデータベースａと、図１５（ｂ）に示すデータベースｂとを備えている。
【０１９６】
データベースａは、型番、メーカおよびカテゴリによって特定される１つに機器に対して、相互接続機能名と、相互接続における機能名とを関連付けるものである。相互接続機能名は、型番、メーカおよびカテゴリによって特定される機器がサポートしている接続方式の名称である。たとえば、Ａ社のテレビである機器「ＭＸ１」は、接続方式としてＤＬＮＡと、Ｂｌｕｅｔｏｏｔｈとをサポートしている。
【０１９７】
相互接続における役割名は、型番、メーカおよびカテゴリによって特定される機器を、相互接続機能名が示す接続方式によって他の機器に接続する場合に、上記特定される機器が担う役割の名称である。たとえば、Ａ社のテレビである機器「ＭＸ１」を、Ｂｌｕｅｔｏｏｔｈによって他の機器に接続する場合、機器「ＭＸ１」は、「シンク」となることができる。
【０１９８】
データベースａは、上記特定される機器に対して、相互接続機能名、相互接続での役割名に加えて、上記特定される機器が搭載しているソフトウェアのバージョン情報を関連付けてもよい。当該ソフトウェアは、ファームウェアと呼ばれることもあり、上記特定される機器の制御部において実行され、機器を制御するためのものである。当該ソフトウェアは、電子機器が実現する機能を充実化させるために、新たなバージョンに更新されることがある。
【０１９９】
たとえば、図１５（ａ）に示すデータベースａによれば、機器「ＭＸ１」のソフトウェアバージョンが１．０である場合、ＤＬＮＡにおける「プレーヤ」として他の機器と相互接続可能である。また、機器「ＭＸ１」のソフトウェアバージョンが１．１である場合、ＤＬＮＡにおける「レンダラ」としても他の機器と相互接続可能であり、当該ソフトウェアバージョンが１．２である場合、Ｂｌｕｅｔｏｏｔｈにおける「シンク」としても他の機器と相互接続可能である。
【０２００】
一般的にこのようなソフトウェアのバージョンは、上位互換性を保つように設計されている。したがって、バージョンが上位のソフトウェアを搭載している機器は、より下位のソフトウェアを搭載している機器の機能を包含して備えている。たとえば、機器「ＭＸ１」のソフトウェアのバージョンが１．２である場合、機器「ＭＸ１」は、ＤＬＮＡにおける「プレーヤ」および「レンダラ」ならびにＢｌｕｅｔｏｏｔｈにおける「シンク」として他の機器と相互接続可能である。
【０２０１】
データベースｂは、それぞれの接続方式と、接続することによって連携機能を発揮可能な組み合わせとが関連付けるデータベースである。データベースｂに記載の例によれば、接続方式としてＤＬＮＡを利用する場合、（１）「プレーヤ」と「サーバ」とを接続することによって連携機能を発揮することができ、（２）「レンダラ」、「コントローラ」および「サーバ」を接続することによっても連携機能を発揮することができる。接続方式としてＢｌｕｅｔｏｏｔｈを利用する場合、「ソース」と「シンク」とを接続することによって連携機能を発揮することができる。
【０２０２】
（接続可能機器の選択行程）
対象機器がテレビ３０である場合を例にして、接続可能機器選択部２２２が、対象機器であるテレビ３０の接続可能機器を選択する工程について、図１５の機器連係情報データベースを参照しながら説明する。本実施形態において、テレビ３０を特定する特定情報は、メーカ、カテゴリおよび型番に加えて、テレビ３０が搭載しているソフトウェアのバージョン情報を含んでいるものとして説明する。なお、以下においてソフトウェアのバージョン情報のことを、単にバージョン情報とも表現する。
【０２０３】
接続可能機器選択部２２２は、特定情報受信部２２０からテレビ３０の特定情報を取得する。テレビ３０の特定情報は、メーカ「Ａ社」、カテゴリ「テレビ」および型番「ＭＸ１」に加えて、バージョン情報を含んでいる。本実施形態では、バージョン情報は「１．２」であるものとして説明する。
【０２０４】
接続可能機器選択部２２２は、機器連係情報データベースのデータベースａを参照し、Ａ社のテレビである機器「ＭＸ１」に関連付けられている相互接続機能名、および、相互接続での役割名を抽出する。データベースａによれば、バージョン情報「１．２」の機器「ＭＸ１」は、
・ＤＬＮＡにおける「プレーヤ」および「レンダラ」
・Ｂｌｕｅｔｏｏｔｈにおける「シンク」
として他の機器と相互接続可能である。
【０２０５】
接続可能機器選択部２２２は、次にデータベースｂを参照し、ＤＬＮＡのプレーヤに接続可能な機器の役割としてサーバを抽出する。同様に、接続可能機器選択部２２２は、ＤＬＮＡのレンダラに接続可能な機器の役割としてコントローラおよびサーバを抽出する。同様に、接続可能機器選択部２２２は、Ｂｌｕｅｔｏｏｔｈのシンクに接続可能な機器の役割としてサーバを抽出する。当該行程により、接続可能機器選択部２２２は、バージョン情報「１．２」の機器「ＭＸ１」に対して、
・ＤＬＮＡにおけるサーバまたはコントローラとして機能する機器と相互接続可能、
・Ｂｌｕｅｔｏｏｔｈにおけるソースとして機能する機器と相互接続可能、であることを関連付ける。
【０２０６】
接続可能機器選択部２２２は、再びデータベースａを参照し、上記の関連付けに応じて、バージョン情報「１．２」の機器「ＭＸ１」に接続可能な接続可能機器を選択する。具体的には、
・ＤＬＮＡにおいて、サーバとして機能する機器「ＹＹ−０６Ｚ」およびコントローラとして機能する機器「ＸＸ−２３Ｂ」を選択し、
・Ｂｌｕｅｔｏｏｔｈにおいて、ソースとして機能する機器「ＹＹ−０６Ｚ」を選択する。
【０２０７】
以上のように、対象機器を特定する特定情報が、バージョン情報を含んでいることによって、接続可能機器選択部２２２は、対象機器が搭載しているソフトウェアのバージョンに応じた接続可能機器を選択することができる。
【０２０８】
接続可能機器選択部２２２は、ＤＬＮＡに関連付けられた機器「ＹＹ−０６Ｚ」および機器「ＸＸ−２３Ｂ」、ならびに、Ｂｌｕｅｔｏｏｔｈに関連付けられた機器「ＹＹ−０６Ｚ」を、機器「ＭＸ１」の接続可能機器として、接続可能機器情報生成部２２４に供給する。
【０２０９】
接続可能機器選択部２２２は、各接続可能機器について、メーカおよびカテゴリを関連付けて接続可能機器情報生成部２２４に供給することが好ましい。
【０２１０】
また、テレビ３０を特定する特定情報がバージョン情報を含んでいる場合、テレビ３０の特定情報は、ＮＦＣタグではなくテレビ３０が内蔵する近距離通信を実現するＩＣチップに書き込まれていることが好ましい。実施形態１のようにＮＦＣタグにテレビ３０の特定情報が書き込まれている構成において、テレビ３０が搭載するソフトウェアのバージョンを更新した場合、ＮＦＣタグに書き込まれている特定情報のバージョン情報を更新するためには、テレビ３０に貼り付けられているＮＦＣタグ自体を張り替える必要性が生じる。
【０２１１】
テレビ３０と特定する特定情報が近距離通信を実現するＩＣチップに書き込まれており、テレビ３０が搭載するソフトウェアのバージョンが更新された場合に、上記ＩＣチップに書き込まれているバージョン情報も更新するように携帯端末１０を構成することによって、テレビ３０が搭載するソフトウェアのバージョン情報と、特定情報が含むバージョン情報とを整合させておくことができる。
【０２１２】
〔実施形態３〕
本発明の実施形態３について、図１６および１７を参照しながら説明する。なお、説明の便宜上、前記実施形態にて説明した部材と同じ機能を有する部材については、同じ符号を付記し、その説明を省略する。
【０２１３】
（機器連係情報提供システム２００１の概要）
図１６は、本実施形態に係る機器連係情報提供システム２００１が備えている携帯端末２０１０（端末）およびサーバ２０２０の構成の概略を示す機能ブロック図である。図１７は、機器連係情報提供システム２００１における処理の流れを示すシークエンス図である。
【０２１４】
図１６に示すように、携帯端末２０１０は、特定情報取得部２１２０、特定情報管理部２１２２、特定情報送信部２１２４、画像情報受信部２１２６（画像情報受信手段）、画像情報管理部２１２８および画像表示指示部２１３０を備えている。また、サーバ２０２０は、特定情報受信部２２２０、接続可能機器選択部２２２２、画像情報生成部２２２４（画像情報生成手段）および画像情報送信部２２２６（画像情報送信手段）を備えている。
【０２１５】
機器連係情報提供システム１において、携帯端末１０が備えている画像生成部１６が相互接続マップを生成し、画像表示指示部１３０が相互接続マップを表示部１７に表示させる。
【０２１６】
これに対して、機器連係情報提供システム２００１では、
・サーバ２０２０の画像情報生成部２２２４は、相互接続マップを示す画像情報を作成し、
・画像情報送信部２２２６は、上記画像情報を携帯端末１０へ送信し、
・携帯端末２０１０の画像情報受信部２１２６は、サーバ２０２０から送信される上記画像情報を受信し、
・画像表示指示部２１３０は、上記画像情報が示す上記相互接続マップを表示部１７に表示させる。
【０２１７】
画像情報生成部２２２４が生成する画像情報は、ＨＴＭＬなどの言語を用いて記述された情報であってもよいし、相互接続マップの画像そのものを示すＪＰＥＧ形式などの情報であってもよい。
【０２１８】
画像情報管理部２１２８は、画像情報受信部２１２６が受信した上記画像情報を、対象機器と関連付けて管理するものである。
【０２１９】
（機器連係情報提供システム２００１における処理）
図１７を参照しながら、携帯端末２０１０およびサーバ２０２０を含む機器連係情報提供システム２００１における処理の流れを説明する。図１７は、機器連係情報提供システム２００１における処理の流れを示すシークエンス図である。
【０２２０】
本実施形態に記載のステップＳ２００〜Ｓ２２２は、実施形態１に記載のステップＳ１００〜Ｓ１２２と同一である。したがって、本実施形態では、ステップＳ２００〜Ｓ２２２の説明を省略する。
【０２２１】
ステップＳ２２４：画像情報生成部２２２４は、接続可能機器選択部２２２２が選択した１または複数の接続可能機器を示す接続可能機器情報を生成する。さらに、画像情報生成部２２２４は、当該接続可能機器情報の示す内容に応じて、テレビ３０に関する相互接続マップを表す画像情報を生成する。
【０２２２】
ステップＳ２２６：画像情報送信部２２２６は、画像情報生成部２２２４が生成した画像情報を、携帯端末２０１０へ送信する。
【０２２３】
ステップＳ２２８：サーバ２０２０の画像情報受信部は２１２６は、サーバ２０が送信した画像情報を受信する。画像情報管理部２１２８は、記憶部１３に記憶されているテレビ３０の特定情報に、上記画像情報を関連付けて管理する（記憶部１３に記憶させる）ことが好ましい。
【０２２４】
ステップＳ２３０：画像表示指示部２１３０は、上記画像情報が表すテレビ３０に関する相互接続マップを、表示部１７へ表示させる。テレビ３０に関する相互接続マップは、表示部１７へ表示されることによって、ユーザＡに提示される。
【０２２５】
〔実施形態４〕
本発明の実施形態４について、図１８および１９を参照しながら説明する。なお、説明の便宜上、前記実施形態にて説明した部材と同じ機能を有する部材については、同じ符号を付記し、その説明を省略する。本実施形態に係る機器連係情報提供システムのハードウェア構成は、実施形態１に記載の機器連係情報提供システム１と同様に構成されている。したがって、本実施形態に係る機器連係情報提供システムは、機器連係情報提供システム１の変形例とも言える。
【０２２６】
図１８は、本実施形態に係る機器連係情報提供システムにおける処理の流れを示すシークエンス図である。図１９は、本実施形態に係る携帯端末３０１０に表示される画面の遷移を表す図である。図１８に示すように、本実施形態に係る機器連係情報提供システムは、携帯端末３０１０およびサーバ３０２０を備えている。
【０２２７】
図１８に記載のシークエンス図において、ユーザＡがアプリを起動するステップおよび携帯端末３０１０がＮＦＣ確認を行う工程（図５に示すステップＳ１００およびＳ１０２）は、省略されている。
【０２２８】
ステップＳ３０４：携帯端末３０１０の画像生成部１６は、図１９（ａ）に示すかざす画面を生成し、画像表示指示部は表示部１７に当該画面を表示する。表示部１７には、「かざしてください。」というメッセージと、「メニュー」ボタンＭとが表示されている。
【０２２９】
ステップＳ３０６：携帯端末３０１０は、ユーザＡに対して、かざす画面が提示する。
【０２３０】
ステップＳ３０８：ユーザＡは、携帯端末３０１０の表示部１７に表示されている「メニュー」ボタンＭを選択する（タップする）。画像生成部１６は、図１９（ｂ）に示す画像を生成し、表示部１７に表示させる。図１９（ｂ）に示す画像には、「かざしてください。」というメッセージに加えて、「設定」ボタンＢ３、「登録一覧」ボタンＢ４および「２台かざす」ボタンＢ５が表示されている。ユーザＡは、「２台かざす」ボタンＢ５を選択する。
【０２３１】
ステップＳ３１０：画像生成部１６は、図１９（ｃ）に示す画面を生成し、表示部１７に表示させる。図１９（ｃ）に示す画像には、「１台目をかざしてください。」というメッセージに加えて、なにも記載されていない領域Ｒ１および領域Ｒ２が表されている。なお、領域Ｒ１は、領域Ｒ２とは異なる色によって表現されており、これからかざす対象機器（第１の対象機器）の特定情報（第１の特定情報）は、領域Ｒ１に表されることをユーザＡに提示する。
【０２３２】
ステップＳ３１２：ユーザＡは、携帯端末３０１０のＮＦＣ−Ｉ／Ｆ部１４を、テレビ３０に貼られているＮＦＣタグ３１の近傍にかざす。ＮＦＣ−Ｉ／Ｆ部１４は、テレビ３０に貼られているＮＦＣタグに対して、ＮＦＣデータを要求する。
【０２３３】
ステップＳ３１４：テレビ３０に貼られているＮＦＣタグ３１は、ＮＦＣ−Ｉ／Ｆ部１４からの要求に対して応答する。言い換えれば、ＮＦＣ−Ｉ／Ｆ部１４は、ＮＦＣタグからＮＦＣデータを取得する。
【０２３４】
ステップＳ３１６：携帯端末３０１０の制御部１２が備えているＮＦＣデータデコーダは、ＮＦＣ−Ｉ／Ｆ部１４が取得したＮＦＣデータをデコードすることによって、テレビ３０を特定するための第１の特定情報を取得する。
【０２３５】
ステップＳ３１８：画像生成部１６は、図１９（ｆ）に示す画像を生成し、表示部１７に表示させる。図１９（ｆ）に示す画像には、「２台目をかざしてください。」というメッセージに加えて、第１の特定情報が含む型番である「ＭＸ１」と記載されている領域Ｒ１、および、なにも記載されていない領域Ｒ２が表されている。なお、領域Ｒ２は、領域Ｒ１とは異なる色によって表現されており、これからかざす対象機器（第２の対象機器）の特定情報（第２の特定情報）は、領域Ｒ２に表されることをユーザＡに提示する。
【０２３６】
ステップＳ３２０：ユーザＡは、携帯端末３０１０のＮＦＣ−Ｉ／Ｆ部１４を、レコーダ４０に貼られているＮＦＣタグの近傍にかざす。ＮＦＣ−Ｉ／Ｆ部１４は、レコーダ４０に貼られているＮＦＣタグに対して、ＮＦＣデータを要求する。
【０２３７】
ステップＳ３２２：レコーダ４０に貼られているＮＦＣタグは、ＮＦＣ−Ｉ／Ｆ部１４からの要求に対して応答する。言い換えれば、ＮＦＣ−Ｉ／Ｆ部１４は、ＮＦＣタグからＮＦＣデータを取得する。
【０２３８】
ステップＳ３２４：携帯端末３０１０の制御部１２が備えているＮＦＣデータデコーダは、ＮＦＣ−Ｉ／Ｆ部１４が取得したＮＦＣデータをデコードすることによって、レコーダ４０を特定する第２の特定情報を取得する。
【０２３９】
ステップＳ３２６：特定情報管理部１２２は、テレビ３０を特定する第１の特定情報と、レコーダ４０を特定する第２の特定情報とを、記憶部１３に記憶させることが好ましい。また、画像生成部１６は、図１９（ｆ）に示した画像の領域Ｒ２に、レコーダ４０の第２の特定情報が含むレコーダ４０の型番（ここでは「ＹＹ−ＢＤ１１」とする）を表し、領域Ｒ２の色を、領域Ｒ１と同じ色に遷移させた画像を生成することが好ましい。
【０２４０】
ステップＳ３２８：画像生成部１６は、上記指示にしたがい生成した画像を、表示部１７に表示させる。当該行程によって、携帯端末３０１０は、テレビ３０のＮＦＣタグ３１から取得した第１の特定情報、および、レコーダ４０のＮＦＣタグから取得した第２の特定情報を、ユーザＡに対して提示することができる。
【０２４１】
ステップＳ３３０：携帯端末３０１０の特定情報送信部１２４は、第１の特定情報および第２の特定情報を、無線通信部１１を介して、サーバ３０２０へ送信する。
【０２４２】
ステップＳ３３２：サーバ３０２０の特定情報受信部２２０は、携帯端末３０１０から、第１の特定情報および第２の特定情報を受信する。接続可能機器選択部２２２は、記憶部２３に格納されているデータベースを参照して、テレビ３０に接続可能な１または複数の接続可能機器を選択する。さらに、接続可能機器選択部２２２は、テレビ３０の接続可能機器の中にレコーダ４０が含まれているか否かを判定する。
【０２４３】
テレビ３０の接続可能機器の中にレコーダ４０が含まれている場合、接続可能機器選択部２２２は、第１の特定情報によって特定されるテレビ３０と、第２の特定情報によって特定されるレコーダ４０とが接続可能であることを、接続可能機器情報生成部２２４へ供給する。
【０２４４】
なお、テレビ３０の接続可能機器の中にレコーダ４０が含まれていない場合、接続可能機器選択部２２２は、接続可能機器がないことを示す情報を接続可能機器情報生成部２２４へ通知してもよい。接続可能機器情報生成部２２４は、当該通知を受けて、テレビ３０とレコーダ４０とは、接続不可能であることを示す接続不可能情報を生成し、携帯端末３０１０へ送信してもよい。
【０２４５】
ステップＳ３３４：接続可能機器情報生成部２２４は、第１の特定情報によって特定されるテレビ３０と、第２の特定情報によって特定されるレコーダ４０とが接続可能であることを示す接続可能機器情報を、通信部２１を介して携帯端末３０１０へ送信する。接続可能機器情報は、テレビ３０がサポートしている相互接続機能名、レコーダ４０がサポートしている相互接続機能名を含んでいることが好ましい。以下において、テレビ３０はＤＬＮＡおよびＨＤＭＩをサポートしており、レコーダ４０はＨＤＭＩをサポートしているものとする。
【０２４６】
また、接続可能機器情報は、ＨＤＭＩを介してテレビ３０およびレコーダ４０を接続した場合に、どのような連携機能を実現可能かを示す連携機能情報を含んでいてもよい。
【０２４７】
ステップＳ３３６：接続可能機器情報受信部１２６は、無線通信部１１を介して、サーバ３０２０が送信した接続可能機器情報を受信する。接続可能機器情報管理部１２８は、記憶部１３に記憶されている第１の特定情報および第２の特定情報のそれぞれに、サーバ３０２０から受信した接続可能機器情報を関連付けて管理する（記憶部１３に記憶させる）ことが好ましい。
【０２４８】
ステップＳ３３８：画像表示指示部１３０は、接続可能機器情報管理部１２８から第１の特定情報および第２の特定情報に関連付けられている接続可能機器情報を取得する。画像表示指示部１３０は、第１の特定情報が特定するテレビ３０と、第２の特定情報が特定するレコーダ４０とを接続可能であることを示す画像を生成するように、画像生成部１６に指示する。画像生成部１６は、テレビ３０とレコーダ４０とを接続可能であることを示す画像として、たとえば図１９（ｅ）に示す画像を生成する。
【０２４９】
図１９（ｅ）に示す画像は、機器「ＭＸ１」（テレビ３０）と、機器「ＹＹ−ＢＤ１１」（レコーダ４０）との接続に関する情報であることを「ＭＸ１  ＶＳ  ＹＹ−ＢＤ１１」というメッセージを用いて表している。さらに、機器「ＭＸ１」および機器「ＹＹ−ＢＤ１１」は、いずれもＨＤＭＩを利用して接続可能であることを「ＨＤＭＩ  ○」というメッセージによって表している。また、画像生成部１６が生成する画像は、「ＤＬＮＡ  ×」というメッセージを含んでいてもよい。このメッセージは、機器「ＭＸ１」および機器「ＹＹ−ＢＤ１１」の一方はＤＬＮＡをサポートしているが、他方はサポートしていないことを表すものである。
【０２５０】
なお、接続可能機器情報受信部１２６が、サーバ３０２０から接続不可能情報を受信した場合、画像表示指示部１３０は、画像生成部１６に対して、テレビ３０とレコーダ４０とを接続不可能であることを示す画像を生成することを指示し、当該画像を表示部１７に表示させてもよい。
【０２５１】
ステップＳ３４０：画像表示指示部１３０は、画像生成部１６が生成した図１９（ｅ）に示す画像を、表示部１７へ表示させる。テレビ３０およびレコーダ４０が接続可能であることを示す画像は、表示部１７へ表示されることによって、ユーザＡに提示される。
【０２５２】
また、図１９（ｅ）に示す画像において、ユーザＡが「ＨＤＭＩ」と記載されている領域をタップした場合、画像生成部１６は、接続可能機器情報が含む連携機能情報を表す画像（図１９（ｄ）参照）を作成してもよい。
【０２５３】
図１９（ｅ）に示すテレビ３０（機器「ＭＸ１」）とレコーダ４０（機器「ＹＹ−ＢＤ１１」）とを接続可能であることを示す画像は、対象機器と接続可能機器とが接続可能であることを示す画像の一態様である。なお、本実施形態において、第１の特定情報が特定するテレビ３０が対象機器であり、第２の特定情報が特定するレコーダ４０が接続可能機器である。しかし、いずれの機器が対象機器であるかは、特に限定されるものではなく、適宜設定することが可能である。
【０２５４】
なお、本実施形態において続けてかざす機器の台数を２台として説明した。しかし、続けてかざす機器の台数は、２台に限定されるものではなく３台以上であってもよい。
【０２５５】
上記の構成によれば、ユーザＡが相互接続してみたい複数の機器があらかじめ決まっており、これらの複数の機器を接続可能である場合に、携帯端末３０１０は、これらの複数の機器が接続可能であることを表示可能である。また、上記複数の機器を接続不可能である場合に、携帯端末３０１０は、これらの複数の機器が接続不可能であることを表示可能であるように構成されていてもよい。
【０２５６】
〔実施形態５〕
本発明の実施形態５について、図２０を参照しながら説明する。なお、説明の便宜上、前記実施形態にて説明した部材と同じ機能を有する部材については、同じ符号を付記し、その説明を省略する。本実施形態に係る機器連係情報提供システムのハードウェア構成は、実施形態３に記載の機器連係情報提供システム２００１と同様に構成されている。したがって、本実施形態に係る機器連係情報提供システムは、機器連係情報提供システム２００１の変形例とも言える。なお、携帯端末４０１０は、表示部１７に表示させる画像を生成する画像生成部１６をさらに備えている。
【０２５７】
図２０は、本実施形態に係る機器連係情報提供システムにおける処理の流れを示すシークエンス図である。図２０に示すように、本実施形態に係る機器連係情報提供システムは、携帯端末４０１０およびサーバ４０２０を備えている。
【０２５８】
図２０に示すシークエンスは、図１８に示すシークエンスと同様に、２つの機器を続けてかざす場合の態様を示すものである。２つの機器を続けてかざす場合に、図１８に示すシークエンスのように、あらかじめ２台の機器の特定情報を取得することをユーザＡが選択しておく構成でもよい。しかし、図２０に示すシークエンスのように、１台目の機器の特定情報を取得した後に、続けて別の機器の特定情報を取得するか否かをユーザＡが判断するように、機器連係情報提供システムは構成されていてもよい。
【０２５９】
図２０に記載のシークエンス図において、ユーザがアプリを起動するステップおよび携帯端末１０がＮＦＣ確認を行う工程（図５に示すステップＳ１００およびＳ１０２）は、省略されている。
【０２６０】
ステップＳ４０４：携帯端末４０１０の画像生成部１６は、かざす画面を生成し、表示部１７に描画する。
【０２６１】
ステップＳ４０６：携帯端末４０１０は、ユーザＡに対して、かざす画面が提示する。
【０２６２】
ステップＳ４０８：ユーザＡは、携帯端末４０１０のＮＦＣ−Ｉ／Ｆ部１４を、テレビ３０に貼られているＮＦＣタグ３１の近傍にかざす。
【０２６３】
ステップＳ４１０：ＮＦＣ−Ｉ／Ｆ部１４は、テレビ３０に貼られているＮＦＣタグ３１に対して、ＮＦＣデータを要求する。
【０２６４】
ステップＳ４１２：テレビ３０に貼られているＮＦＣタグ３１は、ＮＦＣ−Ｉ／Ｆ部１４からの要求に対して応答する。言い換えれば、ＮＦＣ−Ｉ／Ｆ部１４は、ＮＦＣタグ３１からＮＦＣデータを取得する。
【０２６５】
ステップＳ４１４：携帯端末４０１０の制御部２０１２が備えているＮＦＣデータデコーダは、ＮＦＣ−Ｉ／Ｆ部１４が取得したＮＦＣデータをデコードすることによって、テレビ３０を特定する第１の特定情報を取得する。
【０２６６】
ステップＳ４１８：特定情報管理部２１２２は、第１の特定情報を、記憶部１３に記憶させることが好ましい。また、特定情報管理部２１２２は、第１の特定情報を、画像表示指示部２１３０へ供給してもよい。第１の特定情報を供給された場合、画像表示指示部２１３０は、第１の特定情報と、テレビ３０に接続可能な接続可能機器に関する情報を検索中であることを示す情報とを、ユーザＡに対して提示する画像を生成するように画像生成部１６へ指示してもよい。
【０２６７】
ステップＳ４２０：画像生成部１６は、上記指示にしたがい生成した画像を、表示部１７に表示する。
【０２６８】
ステップＳ４２２：画像表示指示部２１３０は、続けて別の機器を特定する特定情報を取得するか（続けて別の機器にかざすか）否かを尋ねるメッセージを表示する画面を、画像生成部１６に生成させる。
【０２６９】
ステップＳ４２４：ユーザＡが、続けて別の機器にかざす（ＹＥＳ）を選択した場合、携帯端末４０１０の画像生成部１６は、かざす画面を生成し、表示部１７に描画する。ここで、画像生成部１６が生成する画面には、これからかざされる機器は２台目である旨のメッセージを含んでいてもよい。
【０２７０】
ステップＳ４２６：携帯端末４０１０は、ユーザＡに対して、かざす画面が提示する。
【０２７１】
ステップＳ４２８：ユーザＡは、携帯端末４０１０のＮＦＣ−Ｉ／Ｆ部１４を、２台目の機器であるレコーダ４０に貼られているＮＦＣタグの近傍にかざす。
【０２７２】
ステップＳ４３０：ＮＦＣ−Ｉ／Ｆ部１４は、レコーダ４０に貼られているＮＦＣタグに対して、ＮＦＣデータを要求する。
【０２７３】
ステップＳ４３２：レコーダ４０に貼られているＮＦＣタグは、ＮＦＣ−Ｉ／Ｆ部１４からの要求に対して応答する。言い換えれば、ＮＦＣ−Ｉ／Ｆ部１４は、レコーダ４０のＮＦＣタグからＮＦＣデータを取得する。
【０２７４】
ステップＳ４３４：ＮＦＣデータデコーダは、ＮＦＣ−Ｉ／Ｆ部１４が取得したＮＦＣデータをデコードすることによって、レコーダ４０を特定する第２の特定情報を取得する。
【０２７５】
ステップＳ４３８：特定情報管理部２１２２は、第２の特定情報を、記憶部１３に記憶させることが好ましい。また、特定情報管理部２１２２は、第２の特定情報を、画像表示指示部２１３０へ供給してもよい。第２の特定情報を供給された場合、画像表示指示部２１３０は、第１の特定情報および第２の特定情報と、テレビ３０およびレコーダ４０が接続可能であるかに関する情報を検索中であることを示す情報とを、ユーザＡに対して提示する画像を生成するように画像生成部１６へ指示してもよい。
【０２７６】
ステップＳ４４０：画像生成部１６は、上記指示にしたがい生成した画像を、表示部１７に表示する。
【０２７７】
ステップＳ４４２：画像表示指示部２１３０は、続けて別の機器を特定する特定情報を取得するか（続けて別の機器にかざすか）否かを尋ねるメッセージを表示する画面を、画像生成部１６に生成させる。
【０２７８】
ステップＳ４４４：携帯端末４０１０の特定情報送信部２１２４は、第１の特定情報および第２の特定情報を、無線通信部１１を介して、サーバ４０２０へ送信する。
【０２７９】
ステップＳ４４６：サーバ４０２０の特定情報受信部２２２０は、携帯端末４０１０から、第１の特定情報および第２の特定情報を受信する。接続可能機器選択部２２２２は、記憶部２３に格納されているデータベースを参照して、テレビ３０に接続可能な１または複数の接続可能機器を選択する。さらに、接続可能機器選択部２２２２は、テレビ３０の接続可能機器の中にレコーダ４０が含まれているか否かを判定する。
【０２８０】
テレビ３０の接続可能機器の中にレコーダ４０が含まれている場合、接続可能機器選択部２２２２は、第１の特定情報によって特定されるテレビ３０と、第２の特定情報によって特定されるレコーダ４０とが接続可能であることを、画像情報生成部２２２４へ供給する。
【０２８１】
なお、テレビ３０の接続可能機器の中にレコーダ４０が含まれていない場合、接続可能機器選択部２２２２は、接続可能機器がないことを示す情報を画像情報生成部２２２４へ通知してもよい。画像情報生成部２２２４は、当該通知を受けて、テレビ３０とレコーダ４０とは、接続不可能であることを示す接続不可能情報を生成し、携帯端末４０１０へ送信してもよい。
【０２８２】
ステップＳ４４８：画像情報生成部２２２４は、第１の特定情報によって特定されるテレビ３０と、第２の特定情報によって特定されるレコーダ４０とが接続可能であることを示す接続可能機器情報を生成する。さらに、画像情報生成部２２２４は、当該接続可能機器情報に基づいてテレビ３０とレコーダ４０とが接続可能であることを示す画像を示す画像情報を生成する。なお、図２０において、テレビ３０とレコーダ４０とが接続可能であることを示す画像のことを相互接続マップと表現している。テレビ３０とレコーダ４０とが接続可能であることを示す画像は、図１９（ｅ）に示す画像以外に、テレビ３０を表すシンボルと、レコーダ４０を表すシンボルとが示されており、上記２つのシンボルは、接続可能であることを意味する破線によって繋がれていてもよい。
【０２８３】
ステップＳ４５０：画像情報送信部２２２６は、画像情報生成部２２２４が生成した画像情報を、携帯端末４０１０へ送信する。
【０２８４】
ステップＳ４５２：携帯端末４０１０の画像情報受信部は２１２６は、サーバ４０２０が送信した画像情報を受信する。画像情報管理部２１２８は、記憶部１３に記憶されている第１の特定情報および第２の特定情報に、上記画像情報を関連付けて管理する（記憶部１３に記憶させる）ことが好ましい。
【０２８５】
ステップＳ４５４：画像表示指示部２１３０は、上記画像情報が表すテレビ３０とレコーダ４０とが接続可能であることを表す相互接続マップを、表示部１７へ表示させる。当該相互接続マップが表示部１７へ表示されることによって、テレビ３０とレコーダ４０とが接続可能であることは、ユーザＡに提示される。
【０２８６】
〔実施形態６〕
携帯端末１０および３０１０の制御ブロック（特に特定情報取得部１２０および画像表示指示部１３０）、サーバ２０および３０２０の制御ブロック（特に接続可能機器選択部２２２および接続可能機器情報生成部２２４）、端末２０１０および４０１０の制御ブロック（特に特定情報取得部２１２０および画面表示指示部２１３０）、および、サーバ２０２０および４０２０の制御ブロック（特に接続可能機器選択部２２２２および画像情報生成部２２２４）は、集積回路（ＩＣチップ）等に形成された論理回路（ハードウェア）によって実現してもよいし、ＣＰＵ（Central Processing Unit）を用いてソフトウェアによって実現してもよい。
【０２８７】
後者の場合、携帯端末１０、２０１０、３０１０および４０１０、ならびに、サーバ２０、２０２０、３０２０および４０２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２８８】
〔まとめ〕
本発明の態様１に係る端末（携帯端末１０）は、対象機器（テレビ３０、レコーダ４０）を特定するための特定情報を取得する特定情報取得手段（１２０）と、上記特定情報を送信する特定情報送信手段（１２４）と、上記対象機器に接続可能な１または複数の接続可能機器を示す接続可能機器情報を受信する接続可能機器情報受信手段（１２６）と、上記接続可能機器情報が含む１または複数の接続可能機器と、上記対象機器とが接続可能であることを示す画像を生成する画像生成手段（１６）と、上記画像を表示部に表示させる画像表示指示手段（１３０）と、を備えている。
【０２８９】
上記の構成によれば、ネットワークに接続されていない対象機器であっても、当該対象機器と、当該対象機器に対して接続可能な接続可能機器とが接続可能であることを表示可能な端末を提供することができる。
【０２９０】
本発明の態様２に係る端末は、上記態様１において、上記画像生成手段は、上記対象機器を表すシンボルと、上記接続可能機器を表すシンボルとを含む画像を生成するように構成されていることが好ましい。
【０２９１】
本発明の態様３に係る端末は、上記態様２において、上記対象機器を表すシンボルと、上記接続可能機器を表すシンボルとを結ぶ線をさらに含む画像を生成するように構成されていることが好ましい。
【０２９２】
上記の構成によれば、上記対象機器および上記接続可能機器を表すシンボルを用いて、上記対象機器および接続可能機器が接続可能であることをユーザに提示することができる。したがって、ユーザは、上記対象機器および接続可能機器が接続可能であることを、図式的に把握することができる。
【０２９３】
本発明の態様４に係る端末は、上記態様２または３において、上記画像生成手段は、上記特定情報の一部または全部をさらに含む画像を生成するように構成されていることが好ましい。
【０２９４】
上記の構成によれば、上記対象機器を表すシンボルに加えて、上記特定情報の一部または全部をユーザに提示することができる。したがって、ユーザに対して、対象機器に関するより具体的な情報を提供することができる。
【０２９５】
本発明の態様５に係る端末は、上記態様２から４のいずれか一態様において、上記対象機器の詳細情報である対象機器詳細情報を取得する対象機器詳細情報取得手段をさらに備え、上記画像表示指示手段が上記表示部に表示させる画像において、上記対象機器を表すシンボルが選択された場合、上記画像表示指示手段は、上記対象機器詳細情報取得手段から上記対象機器詳細情報を取得し上記表示部に表示させることが好ましい。
【０２９６】
上記の構成によれば、端末は、対象機器の詳細情報をユーザに提示することができる。
【０２９７】
本発明の態様６に係る端末は、上記態様２から５のいずれか一態様において、上記対象機器の接続可能機器情報を参照し、上記対象機器と、上記接続可能機器とを接続可能な接続方式の名称を取得する接続方式名称取得手段をさらに備え、上記画像表示指示手段が上記表示部に表示させる画像において、上記対象機器を表すシンボル、および、上記接続可能機器を表すシンボルが選択された場合、上記接続方式名称取得手段は、上記接続方式の名称を上記画像表示指示手段に供給し、上記画像表示指示手段は、上記対象機器、上記接続可能機器および上記接続方式の名称を関連付けて上記表示部に表示させることが好ましい。
【０２９８】
上記の構成によれば、端末は、接続可能な接続方式の名称をユーザに提示することができる。
【０２９９】
本発明の態様７に係る端末は、上記態様６において、上記対象機器と、上記接続可能機器とを接続した場合に実現され得る連携機能を示す連携機能情報を取得する連携機能情報取得手段をさらに備え、上記画像表示指示手段が関連付けて表示させている画面において、上記接続方式の名称が選択された場合、上記連携機能情報取得手段は、上記連携機能情報を上記画像表示指示手段に供給し、上記画像表示指示手段は、上記対象機器、上記接続可能機器および上記連携機能情報を関連付けて上記表示部に表示させることが好ましい。
【０３００】
上記の構成によれば、端末は、対象機器と接続可能機器とを接続した場合に実現可能な連携機能に関する情報を、ユーザに提示することができる。
【０３０１】
本発明の態様８に係る端末は、上記態様２から７のいずれか一態様において、上記画像表示指示手段が示す画像において、上記接続可能機器を表すシンボルが選択された場合、上記画像表示指示手段は、上記接続可能機器に関連付けられている特定情報の一部または全部を、上記表示部に表示させることが好ましい。
【０３０２】
上記の構成によれば、端末は、接続可能機器情報に関連付けられている特定情報の一部または全部を、ユーザに提示することができる。
【０３０３】
本発明の態様９に係る端末は、上記態様１において、上記画像表示指示手段が上記表示部に表示させる画像は、上記特定情報が含む上記特定情報の一部または全部と、上記接続可能機器情報の一部または全部とを、リスト形式またはテーブル形式で表すことによって、上記対象機器と上記接続可能機器とが接続可能であることを示すことが好ましい。
【０３０４】
上記の構成によれば、上記態様２と比較して、より多くの接続可能機器に関する情報を、提示することができる。
【０３０５】
本発明の態様１０に係る端末は、上記態様１から９のいずれか一態様において、上記特定情報は、少なくとも上記対象機器の型番を含むことが好ましい。
【０３０６】
上記の構成によれば、ユーザが把握可能な内容の文字列を、特定情報として用いることができる。
【０３０７】
本発明の態様１１に係る端末は、上記態様１０において、上記特定情報は、上記対象機器のメーカの名称をさらに含むことが好ましい。
【０３０８】
本発明の態様１２に係る端末は、上記態様１０または１１において、上記特定情報は、上記対象機器が属するカテゴリをさらに含むことが好ましい。
【０３０９】
上記の構成によれば、対象機器を特定する精度を向上させることができる。
【０３１０】
本発明の態様１３に係る端末は、上記態様１から１２のいずれか一態様において、上記特定情報取得手段は、近距離通信タグ（ＮＦＣタグ）または二次元バーコード（ＱＲコード）から上記特定情報を取得するように構成されていることが好ましい。
【０３１１】
上記の構成によれば、端末は、容易に対象機器の特定情報を取得可能である。
【０３１２】
本発明の態様１４に係る端末（２０１０）は、対象機器（テレビ３０）を特定するための特定情報を取得する特定情報取得手段（２１２０）と、上記特定情報を送信する特定情報送信手段（２１２４）と、上記対象機器に接続可能な１または複数の接続可能機器と、上記対象機器とが接続可能であることを示す画像を示す画像情報を受信する画像情報受信手段（２１２６）と、上記画像情報が示す画像を、表示部に表示させる画像表示指示手段（２１３０）と、を備えている。
【０３１３】
本発明の態様１５に係るサーバ（２０２０）は、対象機器（テレビ３０）を特定するための特定情報を受信する特定情報受信手段と、上記対象機器に接続可能な１または複数の接続可能機器を選択する接続可能機器選択手段と、上記接続可能機器選択手段によって選択された１または複数の接続可能機器と、上記対象機器とが接続可能であることを示す画像を示す画像情報を生成する画像情報生成手段と、上記画像情報を送信する画像情報送信手段と、を備えている。
【０３１４】
本発明の態様１６に係るシステム（１）は、端末（１０）とサーバ（２０）とを備えているシステムであって、
上記端末は、対象機器を特定するための特定情報を取得する特定情報取得手段（１２０）と、上記特定情報を、上記サーバに送信する特定情報送信手段（１２４）と、上記対象機器に接続可能な１または複数の接続可能機器を示す接続可能機器情報を、上記サーバから受信する接続可能機器情報受信手段（１２６）と、上記接続可能機器情報が含む１または複数の接続可能機器と、上記対象機器とが接続可能であることを示す画像を生成する画像生成手段（１６）と、上記画像を表示部に表示させる画像表示指示手段（１３０）と、を備え、
上記サーバは、上記端末が送信する上記特定情報を受信する特定情報受信手段（２２０）と、上記対象機器に接続可能な１または複数の接続可能機器を選択する接続可能機器選択手段（２２２）と、上記接続可能機器選択手段が選択する上記１または複数の接続可能機器を示す接続可能機器情報を生成する機器情報生成手段（２２４）と、上記接続可能機器情報を、上記端末に送信する接続可能機器情報送信手段（２２６）と、を備えている。
【０３１５】
本発明の態様１７に係るシステム（２００１）は、端末（２０１０）とサーバ（２０２０）とを備えているシステムであって、
上記端末は、対象機器を特定するための特定情報を取得する特定情報取得手段（２１２０）と、上記特定情報を送信する特定情報送信手段（２１２４）と、上記対象機器に接続可能な１または複数の接続可能機器と、上記対象機器とが接続可能であることを示す画像を示す画像情報を受信する画像情報受信手段（２１２６）と、上記画像情報が示す画像を、表示部に表示させる画像表示指示手段（２１３０）と、を備え、
上記サーバは、対象機器をするための特定情報を受信する特定情報受信手段（２２２０）と、上記対象機器に接続可能な１または複数の接続可能機器を選択する接続可能機器選択手段（２２２２）と、上記接続可能機器選択手段によって選択された１または複数の接続可能機器と、上記対象機器とが接続可能であることを示す画像を示す画像情報を生成する画像情報生成手段（２２２４）と、上記画像情報を送信する画像情報送信手段（２２２６）と、を備えている。
【０３１６】
本発明の態様１８に係る方法は、対象機器を特定するための特定情報を取得する特定情報取得工程と、上記対象機器に接続可能な１または複数の接続可能機器を選択する接続可能機器選択工程と、上記接続可能機器選択工程によって選択された１または複数の接続可能機器と、上記対象機器とが接続可能であることを示す画像を示す画像情報を生成する画像情報生成工程と、上記画像情報が示す画像を、表示部に表示させる画像表示指示工程と、を含んでいる。
【０３１７】
上記の構成によれば、ネットワークに接続されていない対象機器であっても、当該対象機器と、当該対象機器に対して接続可能な接続可能機器とが接続可能であることを表示可能な端末を提供することができる。
【０３１８】
本発明の各態様に係る携帯端末（端末）およびサーバは、コンピュータによって実現してもよく、この場合には、コンピュータを上記携帯端末（端末）およびサーバが備える各手段として動作させることにより上記携帯端末（端末）およびサーバをコンピュータにて実現させる携帯端末（端末）およびサーバのプログラム、およびそれを記録したコンピュータ読み取り可能な記録媒体も、本発明の範疇に入る。
【０３１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３２０】
本発明は、端末、サーバ、システム、方法およびプログラムに利用することができる。
【符号の説明】
【０３２１】
１  機器連係情報提供システム（システム）
１０  携帯端末（端末）
１１  無線通信部
１２  制御部
１３  記憶部
１４  ＮＦＣ−Ｉ／Ｆ部
１５  カメラ部
１６  画像生成部
１７  表示部
１８  操作部
２０  サーバ
２１  通信部
２２  制御部
２３  記憶部
５０  ネットワーク
５１  無線通信ネットワーク
【図１】
2015115004.tif 000003
【図２】
2015115004.tif 000004
【図３】
2015115004.tif 000005
【図４】
2015115004.tif 000006
【図５】
2015115004.tif 000007
【図６】
2015115004.tif 000008
【図７】
2015115004.tif 000009
【図８】
2015115004.tif 000010
【図９】
2015115004.tif 000011
【図１０】
2015115004.tif 000012
【図１１】
2015115004.tif 000013
【図１２】
2015115004.tif 000014
【図１３】
2015115004.tif 000015
【図１４】
2015115004.tif 000016
【図１５】
2015115004.tif 000017
【図１６】
2015115004.tif 000018
【図１７】
2015115004.tif 000019
【図１８】
2015115004.tif 000020
【図１９】
2015115004.tif 000021
【図２０】
2015115004.tif 000022